(57)【要約】【課題】オペレータの負担を軽減すると共に印刷資材の無駄を可及的に無くし、稼働率を向上させる。【解決手段】巻取紙に印刷する印刷ユニット１０２と、該印刷ユニット１０２で印刷された印刷物を巻取紙搬送方向と平行な方向に切断するスリッター１０９と、該スリッター１０９で切断された印刷物を巻取紙の搬送方向と直行する方向に切断する断裁刃を備えた折機１０６と、断裁刃で切断された折丁が排出されるＡ側及びＢ側のスタッカー・バンドラー装置１１５Ａ，１１５Ｂと、を備えた巻取紙輪転印刷機において、Ａ側及びＢ側のスタッカー・バンドラー装置に排出された折丁の数を数えるカウンタ６２Ａ，６２Ｂと、切断された折丁が同じ絵柄かどうかを設定する絵柄設定手段と、該絵柄設定手段の設定が同一絵柄の場合、Ａ側及びＢ側のスタッカー・バンドラー装置に排出された折丁の数の合計値に基づいて前記印刷ユニットによる印刷を停止する制御手段と、を備えた。【選択図】図１
2012245792.tif 000002
【特許請求の範囲】
【請求項１】
巻取紙に印刷する印刷手段と、
前記印刷手段で印刷された印刷物を巻取紙搬送方向と平行な方向に切断する第１の切断手段と、
前記第１の切断手段で切断された印刷物を巻取紙の搬送方向と直行する方向に切断する第２の切断手段と、
前記第２の切断手段で切断された印刷物をそれぞれ別の排紙装置に排出する排紙手段と、
を備えた巻取紙輪転印刷機の印刷停止方法において、
それぞれの排紙装置に排出された印刷物の数を数える計数手段と、
前記切断された印刷物が同じ絵柄かどうかを設定する絵柄設定手段と、
を備え、
前記絵柄設定手段の設定が同一絵柄の場合、前記各排紙装置に排出された印刷物の数の合計値に基づいて前記印刷手段の印刷を停止することを特徴とする巻取紙輪転印刷機の印刷停止方法。
【請求項２】
前記各排紙装置に排出された印刷物の数の合計値が設定された印刷必要枚数以上になった時、前記印刷手段の印刷を停止することを特徴とする請求項１に記載の巻取紙輪転印刷機の印刷停止方法。
【請求項３】
前記絵柄設定手段の設定が同一絵柄でない場合、前記各排紙装置に排出された印刷物の数が設定された印刷必要枚数以上になった時、前記印刷手段の印刷を停止することを特徴とする請求項１に記載の巻取紙輪転印刷機の印刷停止方法。
【請求項４】
巻取紙に印刷する印刷手段と、
前記印刷手段で印刷された印刷物を巻取紙搬送方向と平行な方向に切断する第１の切断手段と、
前記第１の切断手段で切断された印刷物を巻取紙の搬送方向と直行する方向に切断する第２の切断手段と、
前記第２の切断手段で切断された印刷物をそれぞれ別の排紙装置に排出する排紙手段と、
を備えた巻取紙輪転印刷機の印刷停止装置において、
それぞれの排紙装置に排出された印刷物の数を数える計数手段と、
前記切断された印刷物が同じ絵柄かどうかを設定する絵柄設定手段と、
前記絵柄設定手段の設定が同一絵柄の場合、前記各排紙装置に排出された印刷物の数の合計値に基づいて前記印刷手段の印刷を停止する制御手段と、
を備えたことを特徴とする巻取紙輪転印刷機の印刷停止装置。
【請求項５】
前記制御手段は、前記各排紙装置に排出された印刷物の数の合計値が設定された印刷必要枚数以上になった時、前記印刷手段の印刷を停止することを特徴とする請求項４に記載の巻取紙輪転印刷機の印刷停止装置。
【請求項６】
前記制御手段は、前記絵柄設定手段の設定が同一絵柄でない場合、前記各排紙装置に排出された印刷物の数が設定された印刷必要枚数以上になった時、前記印刷手段の印刷を停止することを特徴とする請求項４に記載の巻取紙輪転印刷機の印刷停止装置。
【発明の詳細な説明】
【技術分野】
【０００１】
本発明は、巻取紙輪転印刷機の印刷停止方法及び装置に関する。
【背景技術】
【０００２】
従来、折機より排出された折丁をコンベアによりスタッカー・バンドラー装置に搬送し、このスタッカー・バンドラー装置で小束から大束へとスタックしてバンディング（結束）するようにした巻取紙輪転印刷機では、オペレータがスタッカー・バンドラー装置から排出され、パレット上に積まれた束数を数え、束数が予め定められた数になった時に手動で巻取紙輪転印刷機を停止していた。
【０００３】
また、従来、スリッターでウェブを左右方向（ウェブ搬送方向と平行な方向）に切断し、折機より二系統に排出された折丁を別々のスタッカー・バンドラー装置に搬送するようにした巻取紙輪転印刷機では、インキの垂れやヒッキー（紙粉等によって絵柄の一部が白抜けしたもの）等によって発生する印刷不良の数が左右で異なることや、左右に切断された後の印刷物の搬送経路がそれぞれ異なり、搬送中に生じる損紙の数も異なる為、両方のスタッカー・バンドラー装置で収集される印刷物の数は、必ずしも同じにはならない。
【発明の概要】
【発明が解決しようとする課題】
【０００４】
ところで、上述したような従来の巻取紙輪転印刷機にあっては、オペレータがスタッカー・バンドラー装置から排出され、パレット上に積まれた束数を数え、束数が予め定められた数になった時に手動で巻取紙輪転印刷機を停止していた為、必ず必要部数以上の印刷物を印刷することになり、印刷資材の無駄が発生し、稼働率が低下すると共に、オペレータに負担がかかるという問題があった。
【０００５】
また、スリッターでウェブを左右方向に切断するものにあっては、両方のスタッカー・バンドラー装置で収集される印刷物の数は、必ずしも同じにはならないことから、左右で同じ絵柄を印刷する場合にも、少ない方の印刷物の束数が設定された数になった時に巻取紙輪転印刷機の印刷を停止する為、必要部数より多くの印刷物を印刷するようになり、印刷資材の無駄が発生すると共に、余分な時間がかかってしまうという問題があった。
【０００６】
そこで、本発明の目的は、オペレータの負担を軽減すると共に印刷資材の無駄を可及的に無くし、稼働率を向上させることができる巻取紙輪転印刷機の印刷停止方法及び装置を提供することにある。
【課題を解決するための手段】
【０００７】
上記の課題を解決するための本発明に係る巻取紙輪転印刷機の印刷停止方法は、
巻取紙に印刷する印刷手段と、
前記印刷手段で印刷された印刷物を巻取紙搬送方向と平行な方向に切断する第１の切断手段と、
前記第１の切断手段で切断された印刷物を巻取紙の搬送方向と直行する方向に切断する第２の切断手段と、
前記第２の切断手段で切断された印刷物をそれぞれ別の排紙装置に排出する排紙手段と、
を備えた巻取紙輪転印刷機の印刷停止方法において、
それぞれの排紙装置に排出された印刷物の数を数える計数手段と、
前記切断された印刷物が同じ絵柄かどうかを設定する絵柄設定手段と、
を備え、
前記絵柄設定手段の設定が同一絵柄の場合、前記各排紙装置に排出された印刷物の数の合計値に基づいて前記印刷手段の印刷を停止することを特徴とする。
【０００８】
前記各排紙装置に排出された印刷物の数の合計値が設定された印刷必要枚数と同じになった時、前記印刷手段の印刷を停止することを特徴とする。
【０００９】
前記絵柄設定手段の設定が同一絵柄でない場合、前記各排紙装置に排出された印刷物の数が設定された印刷必要枚数以上になった時、前記印刷手段の印刷を停止することを特徴とする。
【００１０】
上記の課題を解決するための本発明に係る巻取紙輪転印刷機の印刷停止装置は、
巻取紙に印刷する印刷手段と、
前記印刷手段で印刷された印刷物を巻取紙搬送方向と平行な方向に切断する第１の切断手段と、
前記第１の切断手段で切断された印刷物を巻取紙の搬送方向と直行する方向に切断する第２の切断手段と、
前記第２の切断手段で切断された印刷物をそれぞれ別の排紙装置に排出する排紙手段と、
を備えた巻取紙輪転印刷機の印刷停止装置において、
それぞれの排紙装置に排出された印刷物の数を数える計数手段と、
前記切断された印刷物が同じ絵柄かどうかを設定する絵柄設定手段と、
前記絵柄設定手段の設定が同一絵柄の場合、前記各排紙装置に排出された印刷物の数の合計値に基づいて前記印刷手段の印刷を停止する制御手段と、
を備えたことを特徴とする。
【００１１】
前記制御手段は、前記各排紙装置に排出された印刷物の数の合計値が設定された印刷必要枚数と同じになった時、前記印刷手段の印刷を停止することを特徴とする。
【００１２】
前記制御手段は、前記絵柄設定手段の設定が同一絵柄でない場合、前記各排紙装置に排出された印刷物の数が設定された印刷必要枚数以上になった時、前記印刷手段の印刷を停止することを特徴とする。
【発明の効果】
【００１３】
本発明の構成によれば、スタッカー・バンドラー装置等後処理装置や排紙装置で収集した印刷物をカウンタ等計数手段でカウントし、カウントした枚数が設定された枚数と同じになった時にスタッカー・バンドラー装置等後処理装置や排紙装置が印刷停止信号を出力し、その印刷停止信号に応じて巻取紙輪転印刷機の印刷を停止するようにしたので、自動化によりオペレータの負担を軽減すると共に、可及的速やかに巻取紙輪転印刷機を停止することができ、印刷資材の無駄を可及的に無くして稼働率を向上させることができる。
【００１４】
また、スリッター等で巻取紙を左右方向に切断し、別々のスタッカー・バンドラー装置等後処理装置や排紙装置に排出する巻取紙輪転印刷機において、同じ絵柄である場合には、各スタッカー・バンドラー装置等後処理装置や排紙装置より送信されてきた印刷物の合計値により巻取紙輪転印刷機の印刷を停止するようにしたので、自動化によりオペレータの負担を軽減すると共に、可及的速やかに巻取紙輪転印刷機を停止することができ、印刷資材の無駄を可及的に無くして稼働率を向上させることができる。
【図面の簡単な説明】
【００１５】
【図１】本発明の実施例１を示す巻取紙輪転印刷機の制御装置のブロック図である。
【図２Ａ】スタッカー・バンドラー制御装置のブロック図である。
【図２Ｂ】スタッカー・バンドラー制御装置のブロック図である。
【図３Ａ】巻取紙輪転印刷機の制御装置の動作フロー図である。
【図３Ｂ】巻取紙輪転印刷機の制御装置の動作フロー図である。
【図３Ｃ】巻取紙輪転印刷機の制御装置の動作フロー図である。
【図３Ｄ】巻取紙輪転印刷機の制御装置の動作フロー図である。
【図４Ａ】スタッカー・バンドラー制御装置の動作フロー図である。
【図４Ｂ】スタッカー・バンドラー制御装置の動作フロー図である。
【図５Ａ】スタッカー・バンドラー制御装置の動作フロー図である。
【図５Ｂ】スタッカー・バンドラー制御装置の動作フロー図である。
【図５Ｃ】スタッカー・バンドラー制御装置の動作フロー図である。
【図５Ｄ】スタッカー・バンドラー制御装置の動作フロー図である。
【図５Ｅ】スタッカー・バンドラー制御装置の動作フロー図である。
【図５Ｆ】スタッカー・バンドラー制御装置の動作フロー図である。
【図６Ａ】スタッカー・バンドラー制御装置の動作フロー図である。
【図６Ｂ】スタッカー・バンドラー制御装置の動作フロー図である。
【図７Ａ】本発明の実施例２を示す巻取紙輪転印刷機の制御装置のブロック図である。
【図７Ｂ】巻取紙輪転印刷機の制御装置のブロック図である。
【図８Ａ】Ａ側及びＢ側のスタッカー・バンドラー制御装置のブロック図である。
【図８Ｂ】Ａ側及びＢ側のスタッカー・バンドラー制御装置のブロック図である。
【図９Ａ】巻取紙輪転印刷機の制御装置の動作フロー図である。
【図９Ｂ】巻取紙輪転印刷機の制御装置の動作フロー図である。
【図９Ｃ】巻取紙輪転印刷機の制御装置の動作フロー図である。
【図９Ｄ】巻取紙輪転印刷機の制御装置の動作フロー図である。
【図１０Ａ】巻取紙輪転印刷機の制御装置の動作フロー図である。
【図１０Ｂ】巻取紙輪転印刷機の制御装置の動作フロー図である。
【図１１Ａ】巻取紙輪転印刷機の制御装置の動作フロー図である。
【図１１Ｂ】巻取紙輪転印刷機の制御装置の動作フロー図である。
【図１２Ａ】巻取紙輪転印刷機の制御装置の動作フロー図である。
【図１２Ｂ】巻取紙輪転印刷機の制御装置の動作フロー図である。
【図１３Ａ】Ａ側及びＢ側のスタッカー・バンドラー制御装置の動作フロー図である。
【図１３Ｂ】Ａ側及びＢ側のスタッカー・バンドラー制御装置の動作フロー図である。
【図１４Ａ】Ａ側及びＢ側のスタッカー・バンドラー制御装置の動作フロー図である。
【図１４Ｂ】Ａ側及びＢ側のスタッカー・バンドラー制御装置の動作フロー図である。
【図１４Ｃ】Ａ側及びＢ側のスタッカー・バンドラー制御装置の動作フロー図である。
【図１４Ｄ】Ａ側及びＢ側のスタッカー・バンドラー制御装置の動作フロー図である。
【図１５Ａ】本発明の実施例３を示す巻取紙輪転印刷機の制御装置のブロック図である。
【図１５Ｂ】巻取紙輪転印刷機の制御装置のブロック図である。
【図１６Ａ】巻取紙輪転印刷機の制御装置の動作フロー図である。
【図１６Ｂ】巻取紙輪転印刷機の制御装置の動作フロー図である。
【図１６Ｃ】巻取紙輪転印刷機の制御装置の動作フロー図である。
【図１７Ａ】巻取紙輪転印刷機の制御装置の動作フロー図である。
【図１７Ｂ】巻取紙輪転印刷機の制御装置の動作フロー図である。
【図１７Ｃ】巻取紙輪転印刷機の制御装置の動作フロー図である。
【図１７Ｄ】巻取紙輪転印刷機の制御装置の動作フロー図である。
【図１７Ｅ】巻取紙輪転印刷機の制御装置の動作フロー図である。
【図１７Ｆ】巻取紙輪転印刷機の制御装置の動作フロー図である。
【図１８Ａ】巻取紙輪転印刷機の制御装置の動作フロー図である。
【図１８Ｂ】巻取紙輪転印刷機の制御装置の動作フロー図である。
【図１９Ａ】巻取紙輪転印刷機の制御装置の動作フロー図である。
【図１９Ｂ】巻取紙輪転印刷機の制御装置の動作フロー図である。
【図１９Ｃ】巻取紙輪転印刷機の制御装置の動作フロー図である。
【図１９Ｄ】巻取紙輪転印刷機の制御装置の動作フロー図である。
【図１９Ｅ】巻取紙輪転印刷機の制御装置の動作フロー図である。
【図１９Ｆ】巻取紙輪転印刷機の制御装置の動作フロー図である。
【図２０Ａ】巻取紙輪転印刷機の制御装置の動作フロー図である。
【図２０Ｂ】巻取紙輪転印刷機の制御装置の動作フロー図である。
【図２１Ａ】巻取紙輪転印刷機の制御装置の動作フロー図である。
【図２１Ｂ】巻取紙輪転印刷機の制御装置の動作フロー図である。
【図２１Ｃ】巻取紙輪転印刷機の制御装置の動作フロー図である。
【図２１Ｄ】巻取紙輪転印刷機の制御装置の動作フロー図である。
【図２１Ｅ】巻取紙輪転印刷機の制御装置の動作フロー図である。
【図２１Ｆ】巻取紙輪転印刷機の制御装置の動作フロー図である。
【図２２Ａ】巻取紙輪転印刷機の制御装置の動作フロー図である。
【図２２Ｂ】巻取紙輪転印刷機の制御装置の動作フロー図である。
【図２３】巻取紙輪転印刷機の概略構成図である。
【図２４】スリッターの説明図である。
【図２５】巻取紙輪転印刷機とスタッカー・バンドラーとの関係図である。
【図２６】リジェクト装置の説明図である。
【図２７】小束部紙供給確認用センサの説明図である。
【図２８Ａ】バンディング（結束）仕様の説明図である。
【図２８Ｂ】バンディング（結束）仕様の説明図である。
【発明を実施するための形態】
【００１６】
以下、本発明に係る巻取紙輪転印刷機の印刷停止方法及び装置を実施例により図面を用いて詳細に説明する。
【実施例１】
【００１７】
図１は本発明の実施例１を示す巻取紙輪転印刷機の制御装置のブロック図、図２Ａ及び図２Ｂはスタッカー・バンドラー制御装置のブロック図、図３Ａ乃至図３Ｄは巻取紙輪転印刷機の制御装置の動作フロー図、図４Ａ及び図４Ｂはスタッカー・バンドラー制御装置の動作フロー図、図５Ａ乃至図５Ｆはスタッカー・バンドラー制御装置の動作フロー図、図６Ａ及び図６Ｂはスタッカー・バンドラー制御装置の動作フロー図、図２３は巻取紙輪転印刷機の概略構成図、図２４はスリッターの説明図、図２５は巻取紙輪転印刷機とスタッカー・バンドラーとの関係図、図２６はリジェクト装置の説明図、図２７は小束部紙供給確認用センサの説明図、図２８Ａ及び図２８Ｂはバンディング（結束）仕様の説明図である。
【００１８】
図２３に示すように、巻取紙輪転印刷機１００は、給紙装置１０１と複数色（図示例では４色）の印刷ユニット（印刷手段）１０２と乾燥機１０３と冷却装置１０４とウェブパス装置１０５とドラッグ装置１０６と折機１０７とを備える。
【００１９】
給紙装置１０１には二つのウェブ・ロール間でウェブ（巻取紙）を連続して繋ぎ次の印刷ユニット１０２に供給するためのウェブ（巻取紙）の自動紙継ぎ装置３６（図１参照）が設けられる。印刷ユニット１０１後方の適宜箇所には印刷された絵柄を検査する印刷品質検査装置３７（図１参照）が設けられる。
【００２０】
また、ドラッグ装置１０６には、図２４に示すように、ドラッグローラ１０８の幅方向中央部に設けた環状溝に円板状のスリッター（第１の切断手段）１０９が揺動自在なアーム１１０を介して着脱自在に係合され、ガイドローラ１１１ａ〜１１１Ｅを経てドラッグローラ１０８で引き出されるウェブＷが幅方向中央部でウェブＷ１とウェブＷ２とに断裁され、その後ドラッグローラ１１２，１１３により別々の搬送経路を経て折機１０７側へと搬送され、所謂１ウェブ２列出しが行われるようになっている。また、折機１０７にはウェブＷを前後方向に断裁する断裁刃（第２の切断手段）を有する断裁胴が備えられる。
【００２１】
また、本実施例では、図２５に示すように、巻取紙輪転印刷機１００の折機１０７より排出された折丁（印刷物）はベルトコンベアを含む二つの搬送経路（排紙手段）１１４Ａ，１１４Ｂを経てＡ，Ｂ両側のスタッカー・バンドラー装置（排紙装置；後処理装置）１１５Ａ，１１５Ｂに搬送されるようになっている。
【００２２】
このスタッカー・バンドラー装置１１５Ａ，１１５Ｂは、折機１０７より排出された折丁を整列して小束としてスタックし、この小束を一定量積み重ねて大束として搬出するものである。図２８Ａ，図２８Ｂに大束のバンディング（結束）仕様を示す。図２８Ａはバンド１１６の１本掛を、図２８Ｂはバンド１１６の２本掛をそれぞれ示す。
【００２３】
また、各スタッカー・バンドラー装置１１５Ａ，１１５Ｂには、図２６に示すように、装置本体１１７の最前部に設けた入口コンベア１１８の先端を上げることで機械に通す必要の無いヤレ紙（損紙）等を、図示しないヤレカゴ等に排出するリジェクト装置６４Ａ，６４Ｂ（図２Ｂ参照）が設けられる。
【００２４】
さらに、各スタッカー・バンドラー装置１１５Ａ，１１５Ｂには、図２７に示すように、小束部１１９の直前に位置して小束部紙供給確認用センサ６３Ａ，６３Ｂ（図２Ａ参照）が設けられる。この小束部紙供給確認用センサ６３Ａ、６３Ｂは光電センサであり、コンベア上の折丁Ｗａで遮光される間のみ信号を出力するようになっている。現在の正紙枚数カウント用カウンタ（計数手段）６２Ａ、６２Ｂ（図２Ａ参照）の手前に設けられたアンド回路（図２Ａ参照）の一方の入力端にはこの小束部紙供給確認用センサ６３Ａ、６３Ｂが接続されると共に、他方の入力端には巻取紙輪転印刷機の印刷枚数カウント用センサ３５（図２Ａ参照）が接続されている。よって、このアンド回路を介して、現在の正紙枚数カウント用カウンタ６２Ａ、６２Ｂには小束部紙供給確認用センサ６３Ａ、６３Ｂがコンベア上の折丁Ｗａで遮光される間のみ巻取紙輪転印刷機の印刷枚数カウント用センサ３５からの１部１カウント信号が入力され、現在の正紙枚数カウント用カウンタ６２Ａ、６２Ｂは、この信号に基づいてカウントアップされるようになっている。
【００２５】
そして、本実施例では、後述する巻取紙輪転印刷機の制御装置（制御手段）１０とスタッカー・バンドラー制御装置（制御手段）５０によって、各スタッカー・バンドラー装置１１５Ａ，１１５Ｂに排出された折丁を各々の現在の正紙枚数カウント用カウンタ６２Ａ，６２Ｂでカウントし、同一絵柄の場合は、各スタッカー・バンドラー装置１１５Ａ，１１５Ｂより送信されてきた折丁の数の合計値に基づいて巻取紙輪転印刷機１００の印刷を停止する一方、同一絵柄でない場合には、各スタッカー・バンドラー装置１１５Ａ，１１５Ｂより送信されてきた折丁の数が設定された印刷必要枚数以上になった時、巻取紙輪転印刷機１００の印刷を停止するようになっている。
【００２６】
前記巻取紙輪転印刷機の制御装置１０は、図１に示すように、ＣＰＵ１１とＲＯＭ１２とＲＡＭ１３と各入出力装置１４〜１９とインターフェース２０とが共にＢＵＳ（母線）で接続されてなる。
【００２７】
また、ＢＵＳ（母線）には、同一絵柄かどうかのデータ記憶用メモリＭ１と目標印刷枚数記憶用メモリＭ２と現在の印刷枚数カウント用カウンタのカウント値記憶用メモリＭ３と本刷り中止位置記憶用メモリＭ４と本刷り再開位置記憶用メモリＭ５が接続される。
【００２８】
入出力装置１４には、同一絵柄設定スイッチ２６と設定完了スイッチ２７と印刷開始スイッチ２８と正紙スイッチ(自己保持型スイッチ)２９とキーボード等の入力装置３０とＣＲＴやディスプレイ等の表示器３１とプリンタやフロッピーディスク（登録商標）ドライブ等の出力装置３２とが接続される。
【００２９】
入出力装置１５には、目標印刷枚数設定器３３が接続される。
【００３０】
入出力装置１６には、巻取紙輪転印刷機の印刷枚数カウント用センサ３５が接続される。入出力装置１７には、現在の印刷枚数カウント用カウンタ３４が接続され、この現在の印刷枚数カウント用カウンタ３４には、巻取紙輪転印刷機の印刷枚数カウント用センサ３５が接続される。入出力装置１８には、現在の印刷枚数カウント用カウンタ３４が接続され、これにリセット信号とイネーブル信号とが出力されるようになっている。
【００３１】
入出力装置１９には、前述したウェブの自動紙継ぎ装置３６と印刷品質検査装置３７とが接続され、これらから損紙信号が入力されるようになっている。
【００３２】
インターフェース２０には、スタッカー・バンドラー制御装置５０が接続される。
【００３３】
一方、スタッカー・バンドラー制御装置５０は、図２Ａ及び図２Ｂに示すように、ＣＰＵ５１とＲＯＭ５２とＲＡＭ５３と各入出力装置５４，５５Ａ，５６Ａ，５５Ｂ，５６Ｂ，５７とインターフェース５８とが共にＢＵＳ（母線）で接続されてなる。
【００３４】
また、ＢＵＳ（母線）には、同一絵柄かどうかのデータ記憶用メモリＭ４０と目標印刷枚数記憶用メモリＭ４１とカウント値Ｍ記憶用メモリＭ４２とカウント値Ｎ記憶用メモリＭ４３と本刷り中止位置記憶用メモリＭ４４と本刷り再開位置記憶用メモリＭ４５と現在の巻取紙輪転印刷機の印刷枚数記憶用メモリＭ４６とが接続される。
【００３５】
さらに、ＢＵＳ（母線）には、カウント値ＭＭ記憶用メモリＭ４７とＭＭ番目の本刷り中止位置記憶用メモリＭ４８とＡ側のリジェクト装置までの枚数記憶用メモリＭ４９とＡ側のＭＭ番目のリジェクト開始位置記憶用メモリ５０とＢ側のリジェクト装置までの枚数記憶用メモリＭ５１とＢ側のＭＭ番目のリジェクト開始位置記憶用メモリＭ５２とが接続される。
【００３６】
さらに、ＢＵＳ（母線）には、カウント値ＮＮ記憶用メモリＭ５３とＮＮ番目の本刷り再開位置記憶用メモリＭ５４とＡ側のＮＮ番目のリジェクト完了位置記憶用メモリＭ５５とＢ側のＮＮ番目のリジェクト完了位置記憶用メモリＭ５６とＡ側の小束部紙供給確認用センサまでの枚数記憶用メモリＭ５７とＡ側のＭＭ番目のカウント中止位置記憶用メモリＭ５８とＢ側の小束部紙供給確認用センサまでの枚数記憶用メモリＭ５９とが接続される。
【００３７】
さらに、ＢＵＳ（母線）には、Ｂ側のＭＭ番目のカウント中止位置記憶用メモリＭ６０とＡ側のＮＮ番目のカウント再開位置記憶用メモリＭ６１とＢ側のＮＮ番目のカウント再開位置記憶用メモリＭ６２とＡ側の現在の正紙枚数カウント用カウンタのカウント値記憶用メモリＭ６３とＢ側の現在の正紙枚数カウント用カウンタのカウント値記憶用メモリＭ６４と現在の総正紙枚数記憶用メモリＭ６５と目標総印刷枚数記憶用メモリＭ６６とが接続される。
【００３８】
入出力装置５４には、キーボード等の入力装置５９とＣＲＴやディスプレイ等の表示器６０とプリンタやフロッピーディスク（登録商標）ドライブ等の出力装置６１とが接続される。
【００３９】
入出力装置５５Ａには、Ａ側の現在の正紙枚数カウント用カウンタ６２Ａが接続され、このＡ側の現在の正紙枚数カウント用カウンタ６２Ａにはアンド回路を介してＡ側の小束部紙供給確認用センサ６３Ａと巻取紙輪転印刷機の印刷枚数カウント用センサ３５が接続される。入出力装置５６Ａには、Ａ側の現在の正紙枚数カウント用カウンタ６２Ａが接続され、これにリセット信号とイネーブル信号とが出力されるようになっている。
【００４０】
入出力装置５５Ｂには、Ｂ側の現在の正紙枚数カウント用カウンタ６２Ｂが接続され、このＢ側の現在の正紙枚数カウント用カウンタ６２Ｂにはアンド回路を介してＢ側の小束部紙供給確認用センサ６３Ｂと巻取紙輪転印刷機の印刷枚数カウント用センサ３５が接続される。入出力装置５６Ｂには、Ｂ側の現在の正紙枚数カウント用カウンタ６２Ｂが接続され、これにリセット信号とイネーブル信号とが出力されるようになっている。
【００４１】
入出力装置５７には、前述したＡ側のリジェクト装置６４ＡとＢ側のリジェクト装置６４Ｂとが接続され、これらにリジェクト信号が出力されるようになっている。
【００４２】
インターフェース５８には、巻取紙輪転印刷機の制御装置１０が接続される。
【００４３】
上述した構成の巻取紙輪転印刷機の制御装置１０の制御動作を、図３Ａ乃至図３Ｄの動作フロー図にしたがって詳述する。
【００４４】
先ず、ステップＰ１で初期化処理した後、ステップＰ２で設定完了スイッチ２７がONか否かを判断し、可であればステップＰ３で同一絵柄かどうかのデータをメモリＭ１から読込む。
【００４５】
次に、ステップＰ４で目標印刷枚数をメモリＭ２から読込んだ後、ステップＰ５でスタッカー・バンドラー制御装置５０に、同一絵柄かどうかのデータ及び目標印刷枚数を送信する。
【００４６】
次に、ステップＰ６でスタッカー・バンドラー制御装置５０より、同一絵柄かどうかのデータ及び目標印刷枚数受信確認信号が送信された後、ステップＰ７で印刷開始スイッチ２８がONされると、ステップＰ８で印刷が開始される。
【００４７】
次に、ステップＰ９で現在の印刷枚数カウント用カウンタ３４へリセット信号及びイネーブル信号を出力した後、ステップＰ１０で現在の印刷枚数カウント用カウンタ３４へのリセット信号の出力を停止する。
【００４８】
次に、ステップＰ１１で印刷の為の調整が終わり、正紙の印刷が開始されたとしてオペレータによって正紙スイッチ(自己保持型スイッチ)２９がONされた後、ステップＰ１２でスタッカー・バンドラー制御装置５０に本刷り開始信号を送信し、この後、ステップＰ１３でスタッカー・バンドラー制御装置５０より本刷り開始信号の受信確認信号が送信されると、ステップＰ１４で巻取紙輪転印刷機の印刷枚数カウント用センサ３５の出力がONか否かを判断する。
【００４９】
次に、ステップＰ１４で可であればステップＰ１５で現在の印刷枚数カウント用カウンタ３４よりカウント値を読込み、メモリＭ３に記憶する一方、否であれば後述するステップＰ１７に移行する。
【００５０】
次に、ステップＰ１６でスタッカー・バンドラー制御装置５０に現在の印刷枚数カウント用カウンタ３４のカウント値を送信した後、前述したステップＰ１７でスタッカー・バンドラー制御装置５０より印刷完了信号が送信されたか否かを判断し、可であればステップＰ１８で印刷が終了する。
【００５１】
また、前記ステップＰ２で否であればステップＰ１９で同一絵柄設定スイッチ２６がONか否かを判断し、可であればステップＰ２０で同一絵柄かどうかのデータ記憶用メモリＭ１の内容を読込む一方、否であれば後述するステップＰ２４に移行する。
【００５２】
次に、ステップＰ２１で同一絵柄かどうかのデータ記憶用メモリの内容＝０か否かを判断し、可であればステップＰ２２で同一絵柄かどうかのデータ記憶用メモリＭ１に１(同一)を上書きして前記ステップＰ２４に移行する一方、否であればステップＰ２３で同一絵柄かどうかのデータ記憶用メモリＭ１に、0(異なる)を上書きして前記ステップＰ２４に移行する。
【００５３】
次に、前述したステップＰ２４で目標印刷枚数設定器３３に目標印刷枚数が入力されたか否かを判断し、可であればステップＰ２５で目標印刷枚数設定器３３の設定値を読込み目標印刷枚数記憶用メモリＭ２に記憶した後、ステップＰ２に戻る一方、否であれば直にステップＰ２に戻る。
【００５４】
また、前記ステップＰ１７で否であればステップＰ２６〜ステップＰ３６のルーチンとステップＰ３７〜ステップＰ４７のルーチンとステップＰ４８〜ステップＰ５１のルーチンの少なくとも一つを順不動に実施した後、ステップ１４に戻る。
【００５５】
即ち、ステップＰ２６でウェブの自動紙継ぎ装置３６又は印刷品質検査装置３７からの損紙信号がONされると、ステップＰ２７で現在の印刷枚数カウント用カウンタ３４よりカウント値を読込み本刷り中止位置記憶用メモリＭ４に記憶した後、ステップＰ２８でスタッカー・バンドラー制御装置５０に本刷り中止位置（現在の印刷枚数カウント用カウンタ３４のカウント値）を送信する。
【００５６】
次に、ステップＰ２９でスタッカー・バンドラー制御装置５０より本刷り中止位置の受信確認信号が送信されると、ステップＰ３０で巻取紙輪転印刷機の印刷枚数カウント用センサ３５の出力がONか否かを判断する。
【００５７】
次に、ステップＰ３０で可であればステップＰ３１で現在の印刷枚数カウント用カウンタ３４よりカウント値を読込み、メモリＭ３に記憶する一方、否であれば後述するステップＰ３３に移行する。
【００５８】
次に、ステップＰ３２でスタッカー・バンドラー制御装置５０に現在の印刷枚数カウント用カウンタ３４のカウント値を送信した後、前述したステップＰ３３で損紙信号がOＦＦされたか否かを判断する。
【００５９】
次に、前記ステップＰ３３で可であればステップＰ３４で現在の印刷枚数カウント用カウンタ３４よりカウント値を読込み本刷り再開位置記憶用メモリＭ５に記憶する一方、否であればステップＰ３０に戻る。
【００６０】
次に、ステップＰ３５でスタッカー・バンドラー制御装置５０に本刷り再開位置（現在の印刷枚数カウント用カウンタ３４のカウント値）を送信した後、ステップＰ３６でスタッカー・バンドラー制御装置５０より本刷り再開位置の受信確認信号が送信されて本ルーチンは終了する。
【００６１】
一方、ステップＰ３７で印刷不良等の理由でオペレータによって正紙スイッチ２９がＯＦＦされると、ステップＰ３８で現在の印刷枚数カウント用カウンタ３４よりカウント値を読込み本刷り中止位置記憶用メモリＭ４に記憶した後、ステップＰ３９でスタッカー・バンドラー制御装置５０に本刷り中止位置（現在の印刷枚数カウント用カウンタ３４のカウント値）を送信する。
【００６２】
次に、ステップＰ４０でスタッカー・バンドラー制御装置５０より本刷り中止位置の受信確認信号が送信されると、ステップＰ４１で巻取紙輪転印刷機の印刷枚数カウント用センサ３５の出力がONか否かを判断する。
【００６３】
次に、ステップＰ４１で可であればステップＰ４２で現在の印刷枚数カウント用カウンタ３４よりカウント値を読込み、メモリＭ３に記憶する一方、否であれば後述するステップＰ４４に移行する。
【００６４】
次に、ステップＰ４３でスタッカー・バンドラー制御装置５０に現在の印刷枚数カウント用カウンタ３４のカウント値を送信した後、前述したステップＰ４４で印刷の為の再調整が終わり、正紙の印刷が再開されたとしてオペレータによって正紙スイッチ２９がＯＮされたか否かを判断する。
【００６５】
次に、前記ステップＰ４４で可であればステップＰ４５で現在の印刷枚数カウント用カウンタ３４よりカウント値を読込み本刷り再開位置記憶用メモリＭ５に記憶する一方、否であればステップＰ４１に戻る。
【００６６】
次に、ステップＰ４６でスタッカー・バンドラー制御装置５０に本刷り再開位置（現在の印刷枚数カウント用カウンタ３４のカウント値）を送信した後、ステップＰ４７でスタッカー・バンドラー制御装置５０より本刷り再開位置の受信確認信号が送信されて本ルーチンは終了する。
【００６７】
一方、ステップＰ４８で目標印刷枚数設定器３３に目標印刷枚数が再入力されると、ステップＰ４９で目標印刷枚数設定器３３の設定値を読込み目標印刷枚数記憶用メモリＭ２に記憶する。
【００６８】
次に、ステップＰ５０でスタッカー・バンドラー制御装置５０に目標印刷枚数を送信した後、ステップＰ５１でスタッカー・バンドラー制御装置５０より目標印刷枚数の受信確認信号が送信されて本ルーチンは終了する。
【００６９】
以上の動作フローによって、スタッカー・バンドラー制御装置５０に対し同一絵柄かどうかのデータ及び目標印刷枚数→本刷り開始信号→現在の印刷枚数カウント用カウンタ３４のカウント値の順で各情報が送信される一方、損紙信号がＯＮされ、また正紙スイッチ２９がＯＦＦされると、スタッカー・バンドラー制御装置５０に対し本刷り中止位置→現在の印刷枚数カウント用カウンタ３４のカウント値→本刷り再開位置の順で各情報が送信され、かつ目標印刷枚数設定器３３に目標印刷枚数が再入力されるとスタッカー・バンドラー制御装置５０に対し再入力された目標印刷枚数の情報が送信される。
【００７０】
一方、スタッカー・バンドラー制御装置５０の制御動作を、図４Ａ及び図４Ｂ，図５Ａ乃至図５Ｆ，図６Ａ及び図６Ｂの動作フロー図にしたがって詳述する。
【００７１】
先ず、ステップＰ１で初期化処理をした後、ステップＰ２で巻取紙輪転印刷機の制御装置１０より同一絵柄かどうかのデータ及び目標印刷枚数が送信されると、ステップＰ３で巻取紙輪転印刷機の制御装置１０より同一絵柄かどうかのデータ及び目標印刷枚数を受信し、メモリＭ４０及びメモリＭ４１に記憶する。
【００７２】
次に、ステップＰ４で巻取紙輪転印刷機の制御装置１０に同一絵柄かどうかのデータ及び目標印刷枚数の受信確認信号を送信した後、ステップＰ５で巻取紙輪転印刷機の制御装置１０から本刷り開始信号が送信されると、ステップＰ６で巻取紙輪転印刷機の制御装置１０に本刷り開始信号の受信確認信号を送信する。
【００７３】
次に、ステップＰ７でＡ側及びＢ側の現在の正紙枚数カウント用カウンタ６２Ａ及び６２Ｂへリセット信号及びイネーブル信号を出力した後、ステップＰ８でＡ側及びＢ側の現在の正紙枚数カウント用カウンタ６２Ａ及び６２Ｂへのリセット信号の出力を停止する。
【００７４】
次に、ステップＰ９でメモリＭ４２のカウント値Ｍに０を上書きした後、ステップＰ１０でメモリＭ４３のカウント値Ｎに０を上書きする。
【００７５】
次に、ステップＰ１１で巻取紙輪転印刷機の制御装置１０より本刷り中止位置が送信されたか否かを判断し、可であればステップＰ１２でメモリＭ４２からカウント値Ｍを読込む一方、否であれば後述するステップＰ１６に移行する。
【００７６】
次に、ステップＰ１３でメモリＭ４２のカウント値Ｍに１を加算して上書きした後、ステップＰ１４で巻取紙輪転印刷機の制御装置１０より本刷り中止位置を受信して本刷り中止位置記憶用メモリＭ４４のＭ番目のアドレス位置に記憶する。
【００７７】
次に、ステップＰ１５で巻取紙輪転印刷機の制御装置１０に本刷り中止位置の受信確認信号を送信した後、前述したステップＰ１６で巻取紙輪転印刷機の制御装置１０より本刷り再開位置が送信されたか否かを判断する。
【００７８】
次に、前記ステップＰ１６で可であればステップＰ１７でメモリＭ４３からカウント値Ｎを読込む一方、否であれば後述するステップＰ２１に移行する。次いで、ステップＰ１８でメモリＭ４３のカウント値Ｎに１を加算して上書きする。
【００７９】
次に、ステップＰ１９で巻取紙輪転印刷機の制御装置１０より本刷り再開位置を受信して本刷り再開位置記憶用メモリＭ４５のＮ番目のアドレス位置に記憶した後、ステップＰ２０で巻取紙輪転印刷機の制御装置１０に本刷り再開位置の受信確認信号を送信する。
【００８０】
次に、前述したステップＰ２１で巻取紙輪転印刷機の制御装置１０より目標印刷枚数が送信されたか否かを判断し、可であればステップＰ２２で巻取紙輪転印刷機の制御装置１０より目標印刷枚数を受信してメモリＭ４１に記憶した後、ステップＰ２３で巻取紙輪転印刷機の制御装置１０に目標印刷枚数の受信確認信号を送信して後述するステップＰ２４に移行する。一方、前記ステップ２１で否であれば直に前記ステップＰ２４に移行する。
【００８１】
以上の動作フローによって、巻取紙輪転印刷機の制御装置１０より同一絵柄かどうかのデータ及び目標印刷枚数を受信した後、本刷り開始信号を受信する一方、巻取紙輪転印刷機の制御装置１０より本刷り中止位置や本刷り再開位置を受信すると、それぞれが受信した順番（Ｍ又はＮ）に対応するアドレス位置にその位置を記憶する。また、目標印刷枚数を受信すると、それを記憶する。
【００８２】
次に、前述したステップ２４で巻取紙輪転印刷機の制御装置１０より現在の印刷枚数カウント用カウンタ３４のカウント値が送信されたか否かを判断し、可であればステップＰ２５で巻取紙輪転印刷機の制御装置１０より現在の印刷枚数カウント用カウンタ３４のカウント値を受信して現在の巻取紙輪転印刷機の印刷枚数記憶用メモリＭ４６に記憶する一方、否であればステップＰ１１に戻る。
【００８３】
次に、ステップＰ２６でメモリＭ４７のカウント値ＭＭに１を上書きした後、ステップＰ２７でメモリＭ４７からカウント値ＭＭを読込む。次いで、ステップＰ２８でメモリＭ４２からカウント値Ｍを読込む。
【００８４】
次に、ステップＰ２９でカウント値MM＞カウント値Ｍか否かを判断し、可であれば後述するステップＰ４６に移行する一方、否であればステップＰ３０でメモリＭ４７からカウント値ＭＭを読込む。
【００８５】
次に、ステップＰ３１で本刷り中止位置記憶用メモリＭ４４のMM番目のアドレス位置よりMM番目の本刷り中止位置を読込み、メモリＭ４８に記憶した後、ステップＰ３２でメモリＭ４９からＡ側のリジェクト装置６４Ａまでの枚数（巻取紙輪転印刷機からＡ側のリジェクト装置６４Ａまでの枚数）を読込む。
【００８６】
次に、ステップＰ３３でMM番目の本刷り中止位置にＡ側のリジェクト装置６４Ａまでの枚数を加算してＡ側のMM番目のリジェクト開始位置を演算し、メモリＭ５０に記憶した後、ステップＰ３４でメモリＭ４６から現在の巻取紙輪転印刷機の印刷枚数を読込む。
【００８７】
次に、ステップＰ３５でＡ側のMM番目のリジェクト開始位置＝現在の巻取紙輪転印刷機の印刷枚数か否かを判断し、可であればステップＰ３６でＡ側のリジェクト装置６４Ａにリジェクト信号を出力して後述するステップＰ３７に移行する一方、否であれば直に前記ステップＰ３７に移行する。
【００８８】
次に、前述したステップＰ３７でメモリＭ４７からカウント値ＭＭを読込んだ後、ステップＰ３８で本刷り中止位置記憶用メモリＭ４４のＭＭ番目のアドレス位置よりMM番目の本刷り中止位置を読込み、メモリＭ４８に記憶する。
【００８９】
次に、ステップＰ３９でメモリＭ５１からＢ側のリジェクト装置６４Ｂまでの枚数（巻取紙輪転印刷機からＢ側のリジェクト装置６４Ｂまでの枚数）を読込んだ後、ステップＰ４０でMM番目の本刷り中止位置にＢ側のリジェクト装置６４Ｂまでの枚数を加算し、Ｂ側のMM番目のリジェクト開始位置を演算して、メモリＭ５２に記憶する。
【００９０】
次に、ステップＰ４１でメモリＭ４６から現在の巻取紙輪転印刷機の印刷枚数を読込んだ後、ステップＰ４２でＢ側のMM番目のリジェクト開始位置＝現在の巻取紙輪転印刷機の印刷枚数か否かを判断する。
【００９１】
次に、前記ステップＰ４２で可であればステップＰ４３でＢ側のリジェクト装置６４Ｂにリジェクト信号を出力して後述するステップＰ４４に移行する一方、否であれば直に前記ステップ４４に移行する。
【００９２】
次に、前述したステップＰ４４でメモリＭ４７からカウント値ＭＭを読込んだ後、ステップＰ４５でメモリＭ４７のカウント値ＭＭに１を加算して上書きし、ステップＰ２７に戻る。
【００９３】
次に、前述したステップＰ４６でメモリＭ５３のカウント値ＮＮに１を上書きした後、ステップＰ４７でメモリＭ５３からカウント値ＮＮを読込む。次いで、ステップＰ４８でメモリＭ４３からカウント値Ｎを読込む。
【００９４】
次に、ステップＰ４９でカウント値ＮＮ＞カウント値Ｎか否かを判断し、可であれば後述するステップＰ６６に移行する一方、否であればステップＰ５０でメモリＭ５３からカウント値ＮＮを読込む。
【００９５】
次に、ステップＰ５１で本刷り再開位置記憶用メモリＭ４５のＮＮ番目のアドレス位置よりＮＮ番目の本刷り再開位置を読込み、メモリＭ５４に記憶した後、ステップＰ５２でメモリＭ４９からＡ側のリジェクト装置６４Ａまでの枚数を読込む。
【００９６】
次に、ステップＰ５３でＮＮ番目の本刷り再開位置にＡ側のリジェクト装置６４Ａまでの枚数を加算してＡ側のＮＮ番目のリジェクト完了位置を演算し、メモリＭ５５に記憶した後、ステップＰ５４でメモリＭ４６から現在の巻取紙輪転印刷機の印刷枚数を読込む。
【００９７】
次に、ステップＰ５５でＡ側のＮＮ番目のリジェクト完了位置＝現在の巻取紙輪転印刷機の印刷枚数か否かを判断し、可であればステップＰ５６でＡ側のリジェクト装置６４Ａへのリジェクト信号の出力を停止して後述するステップＰ５７に移行する一方、否であれば直に前記ステップＰ５７に移行する。
【００９８】
次に、前述したステップＰ５７でメモリＭ５３からカウント値ＮＮを読込んだ後、ステップＰ５８で本刷り再開位置記憶用メモリＭ４５のＮＮ番目のアドレス位置よりＮＮ番目の本刷り再開位置を読込み、メモリＭ５４に記憶する。
【００９９】
次に、ステップＰ５９でメモリＭ５１からＢ側のリジェクト装置６４Ｂまでの枚数を読込んだ後、ステップＰ６０でＮＮ番目の本刷り再開位置にＢ側のリジェクト装置６４Ｂまでの枚数を加算し、Ｂ側のＮＮ番目のリジェクト完了位置を演算して、メモリＭ５６に記憶する。
【０１００】
次に、ステップＰ６１でメモリＭ４６から現在の巻取紙輪転印刷機の印刷枚数を読込んだ後、ステップＰ６２でＢ側のＮＮ番目のリジェクト完了位置＝現在の巻取紙輪転印刷機の印刷枚数か否かを判断する。
【０１０１】
次に、前記ステップＰ６２で可であればステップＰ６３でＢ側のリジェクト装置６４Ｂへのリジェクト信号の出力を停止して後述するステップＰ６４に移行する一方、否であれば直に前記ステップ６４に移行する。
【０１０２】
次に、前述したステップＰ６４でメモリＭ５３からカウント値ＮＮを読込んだ後、ステップＰ６５でメモリＭ５３のカウント値ＮＮに１を加算して上書きし、ステップＰ４７に戻る。
【０１０３】
以上の動作フローによって、本刷り中止位置及び本刷り再開位置に対応してＡ側及びＢ側のリジェクト装置６４Ａ，６４Ｂが作動され、ヤレ紙（損紙）を確実に排除できる。
【０１０４】
次に、前述したステップＰ６６でメモリＭ４７のカウント値ＭＭに１を上書きした後、ステップＰ６７でメモリＭ４７からカウント値ＭＭを読込む。次いで、ステップＰ６８でメモリＭ４２からカウント値Ｍを読込む。
【０１０５】
次に、ステップＰ６９でカウント値MM＞カウント値Ｍか否かを判断し、可であれば後述するステップＰ８６に移行する一方、否であればステップＰ７０でメモリＭ４７からカウント値ＭＭを読込む。
【０１０６】
次に、ステップＰ７１で本刷り中止位置記憶用メモリＭ４４のMM番目のアドレス位置よりMM番目の本刷り中止位置を読込み、メモリＭ４８に記憶した後、ステップＰ７２でメモリＭ５７からＡ側の小束部紙供給確認用センサ６３Ａまでの枚数（巻取紙輪転印刷機からＡ側の小束部紙供給確認用センサ６３Ａまでの枚数）を読込む。
【０１０７】
次に、ステップＰ７３でMM番目の本刷り中止位置にＡ側の小束部紙供給確認用センサ６３Ａまでの枚数を加算してＡ側のMM番目のカウント中止位置を演算し、メモリＭ５８に記憶した後、ステップＰ７４でメモリＭ４６から現在の巻取紙輪転印刷機の印刷枚数を読込む。
【０１０８】
次に、ステップＰ７５でＡ側のMM番目のカウント中止位置＝現在の巻取紙輪転印刷機の印刷枚数か否かを判断し、可であればステップＰ７６でＡ側の現在の正紙枚数カウント用カウンタ６２Ａへのイネーブル信号の出力を停止して後述するステップＰ７７に移行する一方、否であれば直に前記ステップＰ７７に移行する。
【０１０９】
次に、前述したステップＰ７７でメモリＭ４７からカウント値ＭＭを読込んだ後、ステップＰ７８で本刷り中止位置記憶用メモリＭ４４のＭＭ番目のアドレス位置よりMM番目の本刷り中止位置を読込み、メモリＭ４８に記憶する。
【０１１０】
次に、ステップＰ７９でメモリＭ５９からＢ側の小束部紙供給確認用センサ６３Ｂまでの枚数（巻取紙輪転印刷機からＢ側の小束部紙供給確認用センサ６３Ｂまでの枚数）を読込んだ後、ステップＰ８０でMM番目の本刷り中止位置にＢ側の小束部紙供給確認用センサ６３Ｂまでの枚数を加算し、Ｂ側のMM番目のカウント中止位置を演算して、メモリＭ６０に記憶する。
【０１１１】
次に、ステップＰ８１でメモリＭ４６から現在の巻取紙輪転印刷機の印刷枚数を読込んだ後、ステップＰ８２でＢ側のMM番目のカウント中止位置＝現在の巻取紙輪転印刷機の印刷枚数か否かを判断する。
【０１１２】
次に、前記ステップＰ８２で可であればステップＰ８３でＢ側の現在の正紙枚数カウント用カウンタ６２Ｂへのイネーブル信号の出力を停止して後述するステップＰ８４に移行する一方、否であれば直に前記ステップ８４に移行する。
【０１１３】
次に、前述したステップＰ８４でメモリＭ４７からカウント値ＭＭを読込んだ後、ステップＰ８５でメモリＭ４７のカウント値ＭＭに１を加算して上書きし、ステップＰ６７に戻る。
【０１１４】
次に、前述したステップＰ８６でメモリＭ５３のカウント値ＮＮに１を上書きした後、ステップＰ８７でメモリＭ５３からカウント値ＮＮを読込む。次いで、ステップＰ８８でメモリＭ４３からカウント値Ｎを読込む。
【０１１５】
次に、ステップＰ８９でカウント値ＮＮ＞カウント値Ｎか否かを判断し、可であれば後述するステップＰ１０６に移行する一方、否であればステップＰ９０でメモリＭ５３からカウント値ＮＮを読込む。
【０１１６】
次に、ステップＰ９１で本刷り再開位置記憶用メモリＭ４５のＮＮ番目のアドレス位置よりＮＮ番目の本刷り再開位置を読込み、メモリＭ５４に記憶した後、ステップＰ９２でメモリＭ５７からＡ側の小束部紙供給確認用センサ６３Ａまでの枚数を読込む。
【０１１７】
次に、ステップＰ９３でＮＮ番目の本刷り再開位置にＡ側の小束部紙供給確認用センサ６３Ａまでの枚数を加算してＡ側のＮＮ番目のカウント再開位置を演算し、メモリＭ６１に記憶した後、ステップＰ９４でメモリＭ４６から現在の巻取紙輪転印刷機の印刷枚数を読込む。
【０１１８】
次に、ステップＰ９５でＡ側のＮＮ番目のカウント再開位置＝現在の巻取紙輪転印刷機の印刷枚数か否かを判断し、可であればステップＰ９６でＡ側の現在の正紙枚数カウント用カウンタ６２Ａにイネーブル信号を出力して後述するステップＰ９７に移行する一方、否であれば直に前記ステップＰ９７に移行する。
【０１１９】
次に、前述したステップＰ９７でメモリＭ５３からカウント値ＮＮを読込んだ後、ステップＰ９８で本刷り再開位置記憶用メモリＭ４５のＮＮ番目のアドレス位置よりＮＮ番目の本刷り再開位置を読込み、メモリＭ５４に記憶する。
【０１２０】
次に、ステップＰ９９でメモリＭ５９からＢ側の小束部紙供給確認用センサ６３Ｂまでの枚数を読込んだ後、ステップＰ１００でＮＮ番目の本刷り再開位置にＢ側の小束部紙供給確認用センサ６３Ｂまでの枚数を加算し、Ｂ側のＮＮ番目のカウント再開位置を演算して、メモリＭ６２に記憶する。
【０１２１】
次に、ステップＰ１０１でメモリＭ４６から現在の巻取紙輪転印刷機の印刷枚数を読込んだ後、ステップＰ１０２でＢ側のＮＮ番目のカウント再開位置＝現在の巻取紙輪転印刷機の印刷枚数か否かを判断する。
【０１２２】
次に、前記ステップＰ１０２で可であればステップＰ１０３でＢ側の現在の正紙枚数カウント用カウンタ６２Ｂにイネーブル信号を出力して後述するステップＰ１０４に移行する一方、否であれば直に前記ステップ１０４に移行する。
【０１２３】
次に、前述したステップＰ１０４でメモリＭ５３からカウント値ＮＮを読込んだ後、ステップＰ１０５でメモリＭ５３のカウント値ＮＮに１を加算して上書きし、ステップＰ８７に戻る。
【０１２４】
以上の動作フローによって、本刷り中止位置及び本刷り再開位置に対応してＡ側及びＢ側の現在の正紙枚数カウント用カウンタ６２Ａ，６２Ｂが作動され、正紙枚数を正確にカウントできる。
【０１２５】
次に、前述したステップＰ１０６でメモリＭ４０から同一絵柄かどうかのデータを読込んだ後、ステップＰ１０７で同一絵柄かどうかのデータ＝１か否かを判断し、可であればステップＰ１０８でＡ側の現在の正紙枚数カウント用カウンタ６２Ａよりカウント値を読込み、メモリＭ６３に記憶する一方、否であれば後述するステップＰ１１５に移行する。
【０１２６】
次に、ステップＰ１０９でＢ側の現在の正紙枚数カウント用カウンタ６２Ｂよりカウント値を読込み、メモリＭ６４に記憶した後、ステップＰ１１０でＡ側の現在の正紙枚数カウント用カウンタ６２Ａのカウント値にＢ側の現在の正紙枚数カウント用カウンタ６２Ｂのカウント値を加算して現在の総正紙枚数を演算し、メモリＭ６５に記憶する。
【０１２７】
次に、ステップＰ１１１でメモリＭ４１から目標印刷枚数を読込んだ後、ステップＰ１１２で目標印刷枚数に２を乗算して目標総印刷枚数を演算し、メモリＭ６６に記憶する。
【０１２８】
次に、ステップＰ１１３で現在の総正紙枚数≧目標総印刷枚数か否かを判断し、可であればステップＰ１１４で巻取紙輪転印刷機の制御装置１０に印刷完了信号を送信して動作を終了する一方、否であればステップＰ１１に戻る。
【０１２９】
次に、前述したステップＰ１１５でＡ側の現在の正紙枚数カウント用カウンタ６２Ａよりカウント値を読込み、メモリＭ６３に記憶した後、ステップＰ１１６でＢ側の現在の正紙枚数カウント用カウンタ６２Ｂよりカウント値を読込み、メモリＭ６４に記憶する。
【０１３０】
次に、ステップＰ１１７でＡ側の現在の正紙枚数カウント用カウンタのカウント値≦Ｂ側の現在の正紙枚数カウント用カウンタのカウント値か否かを判断し、可であればステップＰ１１８でメモリＭ４１から目標印刷枚数を読込む一方、否であれば後述するステップＰ１２１に移行する。
【０１３１】
次に、ステップＰ１１９でＡ側の現在の正紙枚数カウント用カウンタのカウント値＝目標印刷枚数か否かを判断し、可であればステップＰ１２０で巻取紙輪転印刷機の制御装置１０に印刷完了信号を送信して動作を終了する一方、否であればステップＰ１１に戻る。
【０１３２】
次に、前述したステップＰ１２１でメモリＭ４１から目標印刷枚数を読込んだ後、ステップＰ１２２でＢ側の現在の正紙枚数カウント用カウンタのカウント値＝目標印刷枚数か否かを判断し、可であればステップＰ１２３で巻取紙輪転印刷機の制御装置１０に印刷完了信号を送信して動作を終了する一方、否であればステップＰ１１に戻る。
【０１３３】
以上の動作フローによって、同一絵柄の場合は、Ａ側及びＢ側のスタッカー・バンドラー装置１１５Ａ，１１５Ｂでそれぞれ収集した正紙枚数の合計値が必要枚数以上に達すると巻取紙輪転印刷機１００へ印刷完了信号が出力される一方、同一絵柄でない場合は、収集した正紙枚数の少ない方のスタッカー・バンドラー装置１１５Ａ又は１１５Ｂで収集した正紙枚数が必要枚数に達すると巻取紙輪転印刷機１００へ印刷完了信号が出力される。尚、同一絵柄の場合の印刷完了の判断を（現在の総印刷枚数≧目標総印刷枚数）としたのは、この場合の総印刷枚数は常に偶数であり、それに対し、Ａ側及びＢ側の現在の正紙枚数カウント用カウンタのカウント値が一方は偶数で他方が奇数である場合があり、その場合には、（現在の総印刷枚数＝目標総印刷枚数＋１）になった時点で印刷完了となる為である。
【０１３４】
このようにして本実施例では、スリッター１０９で巻取紙を左右方向に切断し、その後前後方向に切断された折丁をＡ側及びＢ側のスタッカー・バンドラー装置１１５Ａ，１１５Ｂに排出する巻取紙輪転印刷機１００において、スタッカー・バンドラー制御装置５０で正紙枚数をカウントし、同一絵柄の場合は、Ａ側及びＢ側のスタッカー・バンドラー装置１１５Ａ，１１５Ｂでそれぞれ収集した正紙枚数の合計値が必要枚数以上に達すると巻取紙輪転印刷機１００へ印刷完了信号を出力する一方、同一絵柄でない場合は、収集した正紙枚数の少ない方のスタッカー・バンドラー装置１１５Ａ又は１１５Ｂで収集した正紙枚数が必要枚数に達すると巻取紙輪転印刷機１００へ印刷完了信号を出力するようにしたので、自動化によりオペレータの負担を軽減すると共に、可及的速やかに巻取紙輪転印刷機を停止することができ印刷資材の無駄を可及的に無くして稼働率を向上させることができる。
【実施例２】
【０１３５】
図７Ａ及び図７Ｂは本発明の実施例２を示す巻取紙輪転印刷機の制御装置のブロック図、図８Ａ及び図８ＢはＡ側及びＢ側のスタッカー・バンドラー制御装置のブロック図、図９Ａ乃至図９Ｄは巻取紙輪転印刷機の制御装置の動作フロー図、図１０Ａ及び図１０Ｂは巻取紙輪転印刷機の制御装置の動作フロー図、図１１Ａ及び図１１Ｂは巻取紙輪転印刷機の制御装置の動作フロー図、図１２Ａ及び図１２Ｂは巻取紙輪転印刷機の制御装置の動作フロー図、図１３Ａ及び図１３ＢはＡ側及びＢ側のスタッカー・バンドラー制御装置の動作フロー図、図１４Ａ乃至図１４ＤはＡ側及びＢ側のスタッカー・バンドラー制御装置の動作フロー図である。
【０１３６】
これは、実施例１では、スタッカー・バンドラー制御装置５０側で正紙枚数をカウントし、正紙枚数が必要枚数になると、巻取紙輪転印刷機１００へ印刷完了信号を出力する代わりに、Ａ側及びＢ側のスタッカー・バンドラー装置１１５Ａ，１１５Ｂ側の正紙枚数情報に基づいて巻取紙輪転印刷機１００側で正紙枚数をカウントし、正紙枚数が必要枚数になると、自ら印刷を終了する例である。その他の構成は実施例１と同様なので、図２３〜図２８Ａ及び図２８Ｂを参照して重複する説明は省略する。
【０１３７】
即ち、巻取紙輪転印刷機の制御装置１０は、図７Ａ及び図７Ｂに示すように、ＣＰＵ１１とＲＯＭ１２とＲＡＭ１３と各入出力装置１４〜１９とインターフェース２０とが共にＢＵＳ（母線）で接続されてなる。
【０１３８】
また、ＢＵＳ（母線）には、同一絵柄かどうかのデータ記憶用メモリＭ１と目標印刷枚数記憶用メモリＭ２と現在の印刷枚数カウント用カウンタのカウント値記憶用メモリＭ３と本刷り中止位置記憶用メモリＭ４と本刷り再開位置記憶用メモリＭ５が接続される。
【０１３９】
さらに、ＢＵＳ（母線）には、カウント値Ｃ記憶用メモリＭ６とＡ側の現在の正紙枚数記憶用メモリＭ７とＢ側の現在の正紙枚数記憶用メモリＭ８と現在の総正紙枚数記憶用メモリＭ９と目標総印刷枚数記憶用メモリＭ１０が接続される。
【０１４０】
入出力装置１４には、同一絵柄設定スイッチ２６と設定完了スイッチ２７と印刷開始スイッチ２８と正紙スイッチ(自己保持型スイッチ)２９とキーボード等の入力装置３０とＣＲＴやディスプレイ等の表示器３１とプリンタやフロッピーディスク（登録商標）ドライブ等の出力装置３２とが接続される。
【０１４１】
入出力装置１５には、目標印刷枚数設定器３３が接続される。
【０１４２】
入出力装置１６には、巻取紙輪転印刷機の印刷枚数カウント用センサ３５が接続される。入出力装置１７には、現在の印刷枚数カウント用カウンタ３４が接続され、この現在の印刷枚数カウント用カウンタ３４には、巻取紙輪転印刷機の印刷枚数カウント用センサ３５が接続される。入出力装置１８には、現在の印刷枚数カウント用カウンタ３４が接続され、これにリセット信号とイネーブル信号とが送信されるようになっている。
【０１４３】
入出力装置１９には、前述したウェブの自動紙継ぎ装置３６と印刷品質検査装置３７とが接続され、これらから損紙信号が入力されるようになっている。
【０１４４】
インターフェース２０には、Ａ側スタッカー・バンドラー制御装置５０ＡとＢ側スタッカー・バンドラー制御装置５０Ｂとが接続される。
【０１４５】
一方、スタッカー・バンドラー制御装置５０Ａ，５０Ｂは、図８Ａ及び図８Ｂに示すように、ＣＰＵ５１とＲＯＭ５２とＲＡＭ５３と各入出力装置５４〜５７とインターフェース５８とが共にＢＵＳ（母線）で接続されてなる。
【０１４６】
また、ＢＵＳ（母線）には、同一絵柄かどうかのデータ記憶用メモリＭ４０と目標印刷枚数記憶用メモリＭ４１とカウント値Ｍ記憶用メモリＭ４２とカウント値Ｎ記憶用メモリＭ４３と本刷り中止位置記憶用メモリＭ４４と本刷り再開位置記憶用メモリＭ４５と現在の巻取紙輪転印刷機の印刷枚数記憶用メモリＭ４６とが接続される。
【０１４７】
さらに、ＢＵＳ（母線）には、カウント値ＭＭ記憶用メモリＭ４７とＭＭ番目の本刷り中止位置記憶用メモリＭ４８とリジェクト装置までの枚数記憶用メモリＭ６７とＭＭ番目のリジェクト開始位置記憶用メモリＭ６８とカウント値ＮＮ記憶用メモリＭ５３とＮＮ番目の本刷り再開位置記憶用メモリＭ５４とが接続される。
【０１４８】
さらに、ＢＵＳ（母線）には、ＮＮ番目リジェクト完了位置記憶用メモリＭ６９と小束部紙供給確認用センサまでの枚数記憶用メモリＭ７０とＭＭ番目のカウント中止位置記憶用メモリＭ７１とＮＮ番目のカウント再開位置記憶用メモリＭ７２と現在の正紙枚数記憶用メモリＭ７３とが接続される。
【０１４９】
入出力装置５４には、キーボード等の入力装置５９とＣＲＴやディスプレイ等の表示器６０とプリンタやフロッピーディスク（登録商標）ドライブ等の出力装置６１とが接続される。
【０１５０】
入出力装置５５には、現在の正紙枚数カウント用カウンタ６２が接続され、この現在の正紙枚数カウント用カウンタ６２にはアンド回路を介して小束部紙供給確認用センサ６３と巻取紙輪転印刷機の印刷枚数カウント用センサ３５が接続される。
【０１５１】
入出力装置５７には、前述したリジェクト装置６４が接続され、これにリジェクト信号が出力されるようになっている。
【０１５２】
インターフェース５８には、巻取紙輪転印刷機の制御装置１０が接続される。
【０１５３】
上述した構成の巻取紙輪転印刷機の制御装置１０の制御動作を、図９Ａ乃至図９Ｄ，図１０Ａ及び図１０Ｂ，図１１Ａ及び図１１Ｂ，図１２Ａ及び図１２Ｂの動作フロー図にしたがって詳述する。
【０１５４】
先ず、ステップＰ１で初期化処理した後、ステップＰ２で設定完了スイッチ２７がONか否かを判断し、可であればステップＰ３で同一絵柄かどうかのデータをメモリＭ１から読込む。
【０１５５】
次に、ステップＰ４で目標印刷枚数をメモリＭ２から読込んだ後、ステップＰ５でＡ側及びＢ側のスタッカー・バンドラー制御装置５０Ａ，５０Ｂに、同一絵柄かどうかのデータ及び目標印刷枚数を送信する。
【０１５６】
次に、ステップＰ６でＡ側及びＢ側のスタッカー・バンドラー制御装置５０Ａ，５０Ｂより、同一絵柄かどうかのデータ及び目標印刷枚数受信確認信号が送信された後、ステップＰ７で印刷開始スイッチ２８がONされると、ステップＰ８で印刷が開始される。
【０１５７】
次に、ステップＰ９で現在の印刷枚数カウント用カウンタ３４へリセット信号及びイネーブル信号を出力した後、ステップＰ１０で現在の印刷枚数カウント用カウンタ３４へのリセット信号の出力を停止する。
【０１５８】
次に、ステップＰ１１で正紙スイッチ(自己保持型スイッチ)２９がONされた後、ステップＰ１２でＡ側及びＢ側のスタッカー・バンドラー制御装置５０Ａ，５０Ｂに本刷り開始信号を送信し、この後、ステップＰ１３でＡ側及びＢ側のスタッカー・バンドラー制御装置５０Ａ，５０Ｂより本刷り開始信号の受信確認信号が送信されると、ステップＰ１４で巻取紙輪転印刷機の印刷枚数カウント用センサ３５の出力がONか否かを判断する。
【０１５９】
次に、ステップＰ１４で可であればステップＰ１５で現在の印刷枚数カウント用カウンタ３４よりカウント値を読込み、メモリＭ３に記憶する一方、否であれば後述するステップＰ２４に移行する。
【０１６０】
次に、ステップＰ１６でＡ側及びＢ側のスタッカー・バンドラー制御装置５０Ａ，５０Ｂに現在の印刷枚数カウント用カウンタ３４のカウント値を送信した後、後述するステップＰ４８に移行する。
【０１６１】
また、前記ステップＰ２で否であればステップＰ１７で同一絵柄設定スイッチ２６がONか否かを判断し、可であればステップＰ１８で同一絵柄かどうかのデータ記憶用メモリＭ１の内容を読込む一方、否であれば後述するステップＰ２２に移行する。
【０１６２】
次に、ステップＰ１９で同一絵柄かどうかのデータ記憶用メモリの内容＝０か否かを判断し、可であればステップＰ２０で同一絵柄かどうかのデータ記憶用メモリＭ１に１(同一)を上書きして前記ステップＰ２２に移行する一方、否であればステップＰ２１で同一絵柄かどうかのデータ記憶用メモリＭ１に、0(異なる)を上書きして前記ステップＰ２２に移行する。
【０１６３】
次に、前述したステップＰ２２で目標印刷枚数設定器３３に目標印刷枚数が入力されたか否かを判断し、可であればステップＰ２３で目標印刷枚数設定器３３の設定値を読込み目標印刷枚数記憶用メモリＭ２に記憶した後、ステップＰ２に戻る一方、否であれば直にステップＰ２に戻る。
【０１６４】
また、前記ステップＰ１４で否であればステップＰ２４でウェブの自動紙継ぎ装置３６又は印刷品質検査装置３７からの損紙信号がONされたか否かを判断し、可であればステップＰ２５で現在の印刷枚数カウント用カウンタ３４よりカウント値を読込み本刷り中止位置記憶用メモリＭ４に記憶する一方、否であれば後述するステップＰ３５に移行する。
【０１６５】
次に、ステップＰ２６でＡ側及びＢ側のスタッカー・バンドラー制御装置５０Ａ，５０Ｂに本刷り中止位置（現在の印刷枚数カウント用カウンタ３４のカウント値）を送信した後、ステップＰ２７でＡ側及びＢ側のスタッカー・バンドラー制御装置５０Ａ，５０Ｂより本刷り中止位置の受信確認信号が送信されると、ステップＰ２８で巻取紙輪転印刷機の印刷枚数カウント用センサ３５の出力がONか否かを判断する。
【０１６６】
次に、ステップＰ２８で可であればステップＰ２９で現在の印刷枚数カウント用カウンタ３４よりカウント値を読込み、メモリＭ３に記憶する一方、否であれば後述するステップＰ３１に移行する。
【０１６７】
次に、ステップＰ３０でＡ側及びＢ側のスタッカー・バンドラー制御装置５０Ａ，５０Ｂに現在の印刷枚数カウント用カウンタ３４のカウント値を送信した後、後述するステップＰ７７に移行する。
【０１６８】
次に、前述したステップＰ３１で損紙信号がＯＦＦされたか否かを判断し、可であればステップＰ３２で現在の印刷枚数カウント用カウンタ３４よりカウント値を読込み本刷り再開位置記憶用メモリＭ５に記憶する一方、否であればステップＰ２８に戻る。
【０１６９】
次に、ステップＰ３３でＡ側及びＢ側のスタッカー・バンドラー制御装置５０Ａ，５０Ｂに本刷り再開位置（現在の印刷枚数カウント用カウンタ３４のカウント値）を送信した後、ステップＰ３４でＡ側及びＢ側のスタッカー・バンドラー制御装置５０Ａ，５０Ｂより本刷り再開位置の受信確認信号が送信されて前述したステップＰ３５に移行する。
【０１７０】
次に、前記ステップＰ３５で正紙スイッチ２９がＯＦＦされたか否かを判断し、可であればステップＰ３６で現在の印刷枚数カウント用カウンタ３４よりカウント値を読込み本刷り中止位置記憶用メモリＭ４に記憶する一方、否であれば後述するステップＰ４６に移行する。
【０１７１】
次に、ステップＰ３７でＡ側及びＢ側のスタッカー・バンドラー制御装置５０Ａ，５０Ｂに本刷り中止位置（現在の印刷枚数カウント用カウンタ３４のカウント値）を送信した後、ステップＰ３８でＡ側及びＢ側のスタッカー・バンドラー制御装置５０Ａ，５０Ｂより本刷り中止位置の受信確認信号が送信されると、ステップＰ３９で巻取紙輪転印刷機の印刷枚数カウント用センサ３５の出力がONか否かを判断する。
【０１７２】
次に、ステップＰ３９で可であればステップＰ４０で現在の印刷枚数カウント用カウンタ３４よりカウント値を読込み、メモリＭ３に記憶する一方、否であれば後述するステップＰ４２に移行する。
【０１７３】
次に、ステップＰ４１でＡ側及びＢ側のスタッカー・バンドラー制御装置５０Ａ，５０Ｂに現在の印刷枚数カウント用カウンタ３４のカウント値を送信した後、後述するステップＰ１０６に移行する。
【０１７４】
次に、前述したステップＰ４２で正紙スイッチ２９がＯＮされたか否かを判断し、可であればステップＰ４３で現在の印刷枚数カウント用カウンタ３４よりカウント値を読込み本刷り再開位置記憶用メモリＭ５に記憶する一方、否であればステップＰ３９に戻る。
【０１７５】
次に、ステップＰ４４でＡ側及びＢ側のスタッカー・バンドラー制御装置５０Ａ，５０Ｂに本刷り再開位置（現在の印刷枚数カウント用カウンタ３４のカウント値）を送信した後、ステップＰ４５でＡ側及びＢ側のスタッカー・バンドラー制御装置５０Ａ，５０Ｂより本刷り再開位置の受信確認信号が送信されて前述したステップＰ４６に移行する。
【０１７６】
次に、前記ステップＰ４６で目標印刷枚数設定器３３に目標印刷枚数が再入力されたか否かを判断し、可であればステップＰ４７で目標印刷枚数設定器３３の設定値を読込み目標印刷枚数記憶用メモリＭ２に記憶した後、ステップＰ１４に戻る一方、否であれば直にステップＰ１４に戻る。
【０１７７】
以上の動作フローによって、Ａ側及びＢ側のスタッカー・バンドラー制御装置５０Ａ，５０Ｂに対し同一絵柄かどうかのデータ及び目標印刷枚数→本刷り開始信号→現在の印刷枚数カウント用カウンタ３４のカウント値の順で各情報が送信される一方、損紙信号がＯＮされ、また正紙スイッチ２９がＯＦＦされると、Ａ側及びＢ側のスタッカー・バンドラー制御装置５０Ａ，５０Ｂに対し本刷り中止位置→現在の印刷枚数カウント用カウンタ３４のカウント値→本刷り再開位置の順で各情報が送信される。また、目標印刷枚数設定器３３に目標印刷枚数が入力されると目標印刷枚数記憶用メモリＭ２に記憶される。
【０１７８】
次に、前述したステップＰ４８でカウント値Ｃ記憶用メモリＭ６に０を上書きした後、ステップＰ４９でＡ側スタッカー・バンドラー制御装置５０Ａより現在の正紙枚数が送信されたか否かを判断し、可であればステップＰ５０でＡ側スタッカー・バンドラー制御装置５０Ａより現在の正紙枚数を受信してＡ側の現在の正紙枚数記憶用メモリＭ７に記憶する一方、否であれば後述するステップＰ５４に移行する。
【０１７９】
次に、ステップＰ５１でメモリＭ６からカウント値Ｃを読込んだ後、ステップＰ５２でカウント値Ｃに１を加算してカウント値Ｃ記憶用メモリＭ６に上書きする。
【０１８０】
次に、ステップＰ５３でＡ側スタッカー・バンドラー制御装置５０Ａに正紙枚数の受信確認信号を送信した後、前述したステップＰ５４でＢ側スタッカー・バンドラー制御装置５０Ｂより現在の正紙枚数が送信されたか否かを判断する。
【０１８１】
次に、前記ステップＰ５４で可であればステップＰ５５でＢ側スタッカー・バンドラー制御装置５０Ｂより現在の正紙枚数を受信してＢ側の現在の正紙枚数記憶用メモリＭ８に記憶する一方、否であれば後述するステップＰ５９に移行する。
【０１８２】
次に、ステップＰ５６でメモリＭ６からカウント値Ｃを読込んだ後、ステップＰ５７でカウント値Ｃに１を加算してカウント値Ｃ記憶用メモリＭ６に上書きする。次いで、ステップＰ５８でＢ側スタッカー・バンドラー制御装置５０Ｂに正紙枚数の受信確認信号を送信した後、前述したステップＰ５９でメモリＭ６からカウント値Ｃを読込む。
【０１８３】
次に、ステップＰ６０でカウント値Ｃ＝２か否かを判断し、可であればステップＰ６１でメモリＭ１から同一絵柄かどうかのデータを読込む一方、否であればステップＰ４９に戻る。
【０１８４】
次に、ステップＰ６２で同一絵柄かどうかのデータ＝１か否かを判断し、可であればステップＰ６３でメモリＭ７からＡ側の現在の正紙枚数を読込む一方、否であれば後述するステップＰ７０に移行する。
【０１８５】
次に、ステップＰ６４でメモリＭ８からＢ側の現在の正紙枚数を読込んだ後、ステップＰ６５でＡ側の現在の正紙枚数にＢ側の現在の正紙枚数を加算して現在の総正紙枚数を演算し、メモリＭ９に記憶する。次いで、ステップＰ６６でメモリＭ２から目標印刷枚数を読込んだ後、ステップＰ６７で目標印刷枚数に２を乗算して目標総印刷枚数を演算し、メモリＭ１０に記憶する。
【０１８６】
次に、ステップＰ６８で現在の総正紙枚数≧目標総印刷枚数か否かを判断し、可であればステップＰ６９で印刷を終了する一方、否であればステップＰ１４に戻る。
【０１８７】
次に、前述したステップＰ７０でメモリＭ７からＡ側の現在の正紙枚数を読込んだ後、ステップＰ７１でメモリＭ８からＢ側の現在の正紙枚数を読込む。次いで、ステップＰ７２でＡ側の現在の正紙枚数≦Ｂ側の現在の正紙枚数か否かを判断する。
【０１８８】
次に、前記ステップＰ７２で可であればステップＰ７３でメモリＭ２から目標印刷枚数を読込んだ後、ステップＰ７４でＡ側の現在の正紙枚数＝目標印刷枚数か否かを判断し、可であればステップＰ６９で印刷を終了する一方、否であればステップＰ１４に戻る。
【０１８９】
一方、前記ステップＰ７２で否であればステップＰ７５でメモリＭ２から目標印刷枚数を読込んだ後、ステップＰ７６でＢ側の現在の正紙枚数＝目標印刷枚数か否かを判断し、可であればステップＰ６９で印刷を終了する一方、否であればステップＰ１４に戻る。
【０１９０】
次に、前述したステップＰ７７でカウント値Ｃ記憶用メモリＭ６に０を上書きした後、ステップＰ７８でＡ側スタッカー・バンドラー制御装置５０Ａより現在の正紙枚数が送信されたか否かを判断し、可であればステップＰ７９でＡ側スタッカー・バンドラー制御装置５０Ａより現在の正紙枚数を受信してＡ側の現在の正紙枚数記憶用メモリＭ７に記憶する一方、否であれば後述するステップＰ８３に移行する。
【０１９１】
次に、ステップＰ８０でメモリＭ６からカウント値Ｃを読込んだ後、ステップＰ８１でカウント値Ｃに１を加算してカウント値Ｃ記憶用メモリＭ６に上書きする。
【０１９２】
次に、ステップＰ８２でＡ側スタッカー・バンドラー制御装置５０Ａに正紙枚数の受信確認信号を送信した後、前述したＰ８３でＢ側スタッカー・バンドラー制御装置５０Ｂより現在の正紙枚数が送信されたか否かを判断する。
【０１９３】
次に、前記ステップＰ８３で可であればステップＰ８４でＢ側スタッカー・バンドラー制御装置５０Ｂより現在の正紙枚数を受信してＢ側の現在の正紙枚数記憶用メモリＭ８に記憶する一方、否であれば後述するステップＰ８８に移行する。
【０１９４】
次に、ステップＰ８５でメモリＭ６からカウント値Ｃを読込んだ後、ステップＰ８６でカウント値Ｃに１を加算してカウント値Ｃ記憶用メモリＭ６に上書きする。次いで、ステップＰ８７でＢ側スタッカー・バンドラー制御装置５０Ｂに正紙枚数の受信確認信号を送信した後、前述したステップＰ８８でメモリＭ６からカウント値Ｃを読込む。
【０１９５】
次に、ステップＰ８９でカウント値Ｃ＝２か否かを判断し、可であればステップＰ９０でメモリＭ１から同一絵柄かどうかのデータを読込む一方、否であればステップＰ７８に戻る。
【０１９６】
次に、ステップＰ９１で同一絵柄かどうかのデータ＝１か否かを判断し、可であればステップＰ９２でメモリＭ７からＡ側の現在の正紙枚数を読込む一方、否であれば後述するステップＰ９９に移行する。
【０１９７】
次に、ステップＰ９３でメモリＭ８からＢ側の現在の正紙枚数を読込んだ後、ステップＰ９４でＡ側の現在の正紙枚数にＢ側の現在の正紙枚数を加算して現在の総正紙枚数を演算し、メモリＭ９に記憶する。次いで、ステップＰ９５でメモリＭ２から目標印刷枚数を読込んだ後、ステップＰ９６で目標印刷枚数に２を乗算して目標総印刷枚数を演算し、メモリＭ１０に記憶する。
【０１９８】
次に、ステップＰ９７で現在の総正紙枚数≧目標総印刷枚数か否かを判断し、可であればステップＰ９８で印刷を終了する一方、否であればステップＰ３１に戻る。
【０１９９】
次に、前述したステップＰ９９でメモリＭ７からＡ側の現在の正紙枚数を読込んだ後、ステップＰ１００でメモリＭ８からＢ側の現在の正紙枚数を読込む。次いで、ステップＰ１０１でＡ側の現在の正紙枚数≦Ｂ側の現在の正紙枚数か否かを判断する。
【０２００】
次に、前記ステップＰ１０１で可であればステップＰ１０２でメモリＭ２から目標印刷枚数を読込んだ後、ステップＰ１０３でＡ側の現在の正紙枚数＝目標印刷枚数か否かを判断し、可であればステップＰ９８で印刷を終了する一方、否であればステップＰ３１に戻る。
【０２０１】
一方、前記ステップＰ１０１で否であればステップＰ１０４でメモリＭ２から目標印刷枚数を読込んだ後、ステップＰ１０５でＢ側の現在の正紙枚数＝目標印刷枚数か否かを判断し、可であればステップＰ９８で印刷を終了する一方、否であればステップＰ３１に戻る。
【０２０２】
次に、前述したステップＰ１０６でカウント値Ｃ記憶用メモリＭ６に０を上書きした後、ステップＰ１０７でＡ側スタッカー・バンドラー制御装置５０Ａより現在の正紙枚数が送信されたか否かを判断し、可であればステップＰ１０８でＡ側スタッカー・バンドラー制御装置５０Ａより現在の正紙枚数を受信してＡ側の現在の正紙枚数記憶用メモリＭ７に記憶する一方、否であれば後述するステップＰ１１２に移行する。
【０２０３】
次に、ステップＰ１０９でメモリＭ６からカウント値Ｃを読込んだ後、ステップＰ１１０でカウント値Ｃに１を加算してカウント値Ｃ記憶用メモリＭ６に上書きする。
【０２０４】
次に、ステップＰ１１１でＡ側スタッカー・バンドラー制御装置５０Ａに正紙枚数の受信確認信号を送信した後、前述したＰ１１２でＢ側スタッカー・バンドラー制御装置５０Ｂより現在の正紙枚数が送信されたか否かを判断する。
【０２０５】
次に、前記ステップＰ１１２で可であればステップＰ１１３でＢ側スタッカー・バンドラー制御装置５０Ｂより現在の正紙枚数を受信してＢ側の現在の正紙枚数記憶用メモリＭ８に記憶する一方、否であれば後述するステップＰ１１７に移行する。
【０２０６】
次に、ステップＰ１１４でメモリＭ６からカウント値Ｃを読込んだ後、ステップＰ１１５でカウント値Ｃに１を加算してカウント値Ｃ記憶用メモリＭ６に上書きする。次いで、ステップＰ１１６でＢ側スタッカー・バンドラー制御装置５０Ｂに正紙枚数の受信確認信号を送信した後、前述したステップＰ１１７でメモリＭ６からカウント値Ｃを読込む。
【０２０７】
次に、ステップＰ１１８でカウント値Ｃ＝２か否かを判断し、可であればステップＰ１１９でメモリＭ１から同一絵柄かどうかのデータを読込む一方、否であればステップＰ１０７に戻る。
【０２０８】
次に、ステップＰ１２０で同一絵柄かどうかのデータ＝１か否かを判断し、可であればステップＰ１２１でメモリＭ７からＡ側の現在の正紙枚数を読込む一方、否であれば後述するステップＰ１２８に移行する。
【０２０９】
次に、ステップＰ１２２でメモリＭ８からＢ側の現在の正紙枚数を読込んだ後、ステップＰ１２３でＡ側の現在の正紙枚数にＢ側の現在の正紙枚数を加算して現在の総正紙枚数を演算し、メモリＭ９に記憶する。次いで、ステップＰ１２４でメモリＭ２から目標印刷枚数を読込んだ後、ステップＰ１２５で目標印刷枚数に２を乗算して目標総印刷枚数を演算し、メモリＭ１０に記憶する。
【０２１０】
次に、ステップＰ１２６で現在の総正紙枚数≧目標総印刷枚数か否かを判断し、可であればステップＰ１２７で印刷を終了する一方、否であればステップＰ４２に戻る。
【０２１１】
次に、前述したステップＰ１２８でメモリＭ７からＡ側の現在の正紙枚数を読込んだ後、ステップＰ１２９でメモリＭ８からＢ側の現在の正紙枚数を読込む。次いで、ステップＰ１３０でＡ側の現在の正紙枚数≦Ｂ側の現在の正紙枚数か否かを判断する。
【０２１２】
次に、前記ステップＰ１３０で可であればステップＰ１３１でメモリＭ２から目標印刷枚数を読込んだ後、ステップＰ１３２でＡ側の現在の正紙枚数＝目標印刷枚数か否かを判断し、可であればステップＰ１２７で印刷を終了する一方、否であればステップＰ４２に戻る。
【０２１３】
一方、前記ステップＰ１３０で否であればステップＰ１３３でメモリＭ２から目標印刷枚数を読込んだ後、ステップＰ１３４でＢ側の現在の正紙枚数＝目標印刷枚数か否かを判断し、可であればステップＰ１２７で印刷を終了する一方、否であればステップＰ４２に戻る。
【０２１４】
以上の動作フローによって、Ａ側及びＢ側のスタッカー・バンドラー制御装置５０Ａ，５０Ｂより送られてくる正紙枚数を受信し、同一絵柄の場合は、それらの合計値が必要枚数以上に達すると印刷を終了し、同一絵柄でない場合は、それらの少ない方の正紙枚数が必要枚数に達すると印刷を終了する。尚、同一絵柄の場合の印刷完了の判断を（現在の総印刷枚数≧目標総印刷枚数）としたのは、この場合の総印刷枚数は常に偶数であり、それに対し、Ａ側及びＢ側の現在の正紙枚数カウント用カウンタのカウント値が一方は偶数で他方が奇数である場合があり、その場合には、（現在の総印刷枚数＝目標総印刷枚数＋１）になった時点で印刷完了となる為である。
【０２１５】
一方、Ａ側及びＢ側のスタッカー・バンドラー制御装置５０Ａ，５０Ｂの制御動作を、図１３Ａ及び図１３Ｂ，図１４Ａ乃至図１４Ｄの動作フロー図にしたがって詳述する。
【０２１６】
先ず、ステップＰ１で初期化処理をした後、ステップＰ２で巻取紙輪転印刷機の制御装置１０より同一絵柄かどうかのデータ及び目標印刷枚数が送信されると、ステップＰ３で巻取紙輪転印刷機の制御装置１０より同一絵柄かどうかのデータ及び目標印刷枚数を受信し、メモリＭ４０及びメモリＭ４１に記憶する。
【０２１７】
次に、ステップＰ４で巻取紙輪転印刷機の制御装置１０に同一絵柄かどうかのデータ及び目標印刷枚数の受信確認信号を送信した後、ステップＰ５で巻取紙輪転印刷機の制御装置１０から本刷り開始信号が送信されると、ステップＰ６で巻取紙輪転印刷機の制御装置１０に本刷り開始信号の受信確認信号を送信する。
【０２１８】
次に、ステップＰ７で現在の正紙枚数カウント用カウンタ６２へリセット信号及びイネーブル信号を出力した後、ステップＰ８で現在の正紙枚数カウント用カウンタ６２へのリセット信号の出力を停止する。
【０２１９】
次に、ステップＰ９でメモリＭ４２のカウント値Ｍに０を上書きした後、ステップＰ１０でメモリＭ４３のカウント値Ｎに０を上書きする。
【０２２０】
次に、ステップＰ１１で巻取紙輪転印刷機の制御装置１０より本刷り中止位置が送信されたか否かを判断し、可であればステップＰ１２でメモリＭ４２からカウント値Ｍを読込む一方、否であれば後述するステップＰ１６に移行する。
【０２２１】
次に、ステップＰ１３でメモリＭ４２のカウント値Ｍに１を加算して上書きした後、ステップＰ１４で巻取紙輪転印刷機の制御装置１０より本刷り中止位置を受信して本刷り中止位置記憶用メモリＭ４４のＭ番目のアドレス位置に記憶する。
次に、ステップＰ１５で巻取紙輪転印刷機の制御装置１０に本刷り中止位置の受信確認信号を送信した後、前述したステップＰ１６で巻取紙輪転印刷機の制御装置１０より本刷り再開位置が送信されたか否かを判断する。
【０２２２】
次に、前記ステップＰ１６で可であればステップＰ１７でメモリＭ４３からカウント値Ｎを読込む一方、否であれば後述するステップＰ２１へ移行する。次いで、ステップＰ１８でメモリＭ４３のカウント値Ｎに１を加算して上書きする。
【０２２３】
次に、ステップＰ１９で巻取紙輪転印刷機の制御装置１０より本刷り再開位置を受信して本刷り再開位置記憶用メモリＭ４５のＮ番目のアドレス位置に記憶した後、ステップＰ２０で巻取紙輪転印刷機の制御装置１０に本刷り再開位置の受信確認信号を送信する。
【０２２４】
以上の動作フローによって、巻取紙輪転印刷機の制御装置１０より同一絵柄かどうかのデータ及び目標印刷枚数を受信した後、本刷り開始信号を受信する一方、巻取紙輪転印刷機の制御装置１０より本刷り中止位置や本刷り再開位置を受信すると、それぞれが受信した順番（Ｍ又はＮ）に対応するアドレス位置にその位置を記憶する。
【０２２５】
次に、前述したステップ２１で巻取紙輪転印刷機の制御装置１０より現在の印刷枚数カウント用カウンタ３４のカウント値が送信されたか否かを判断し、可であればステップＰ２２で巻取紙輪転印刷機の制御装置１０より現在の印刷枚数カウント用カウンタ３４のカウント値を受信して現在の巻取紙輪転印刷機の印刷枚数記憶用メモリＭ４６に記憶する一方、否であればステップＰ１１に戻る。
【０２２６】
次に、ステップＰ２３でメモリＭ４７のカウント値ＭＭに１を上書きした後、ステップＰ２４でメモリＭ４７からカウント値ＭＭを読込む。次いで、ステップＰ２５でメモリＭ４２からカウント値Ｍを読込む。
【０２２７】
次に、ステップＰ２６でカウント値MM＞カウント値Ｍか否かを判断し、可であれば後述するステップＰ３６に移行する一方、否であればステップＰ２７でメモリＭ４７からカウント値ＭＭを読込む。
【０２２８】
次に、ステップＰ２８で本刷り中止位置記憶用メモリＭ４４のMM番目のアドレス位置よりMM番目の本刷り中止位置を読込み、メモリＭ４８に記憶した後、ステップＰ２９でメモリＭ６７からリジェクト装置６４までの枚数（巻取紙輪転印刷機からリジェクト装置６４までの枚数）を読込む。
【０２２９】
次に、ステップＰ３０でMM番目の本刷り中止位置にリジェクト装置６４までの枚数を加算してMM番目のリジェクト開始位置を演算し、メモリＭ６８に記憶した後、ステップＰ３１でメモリＭ４６から現在の巻取紙輪転印刷機の印刷枚数を読込む。
【０２３０】
次に、ステップＰ３２でMM番目のリジェクト開始位置＝現在の巻取紙輪転印刷機の印刷枚数か否かを判断し、可であればステップＰ３３でリジェクト装置６４にリジェクト信号を出力して後述するステップＰ３４に移行する一方、否であれば直に前記ステップＰ３４に移行する。
【０２３１】
次に、前述したステップＰ３４でメモリＭ４７からカウント値ＭＭを読込んだ後、ステップＰ３５でメモリＭ４７のカウント値ＭＭに１を加算して上書きし、ステップＰ２４に戻る。
【０２３２】
次に、前述したステップＰ３６でメモリＭ５３のカウント値ＮＮに１を上書きした後、ステップＰ３７でメモリＭ５３からカウント値ＮＮを読込む。次いで、ステップＰ３８でメモリＭ４３からカウント値Ｎを読込む。
【０２３３】
次に、ステップＰ３９でカウント値ＮＮ＞カウント値Ｎか否かを判断し、可であれば後述するステップＰ４９に移行する一方、否であればステップＰ４０でメモリＭ５３からカウント値ＮＮを読込む。
【０２３４】
次に、ステップＰ４１で本刷り再開位置記憶用メモリＭ４５のＮＮ番目のアドレス位置よりＮＮ番目の本刷り再開位置を読込み、メモリＭ５４に記憶した後、ステップＰ４２でメモリＭ６７からリジェクト装置６４までの枚数を読込む。
【０２３５】
次に、ステップＰ４３でＮＮ番目の本刷り再開位置にリジェクト装置６４までの枚数を加算してＮＮ番目のリジェクト完了位置を演算し、メモリＭ６９に記憶した後、ステップＰ４４でメモリＭ４６から現在の巻取紙輪転印刷機の印刷枚数を読込む。
【０２３６】
次に、ステップＰ４５でＮＮ番目のリジェクト完了位置＝現在の巻取紙輪転印刷機の印刷枚数か否かを判断し、可であればステップＰ４６でリジェクト装置６４へのリジェクト信号の出力を停止して後述するステップＰ４７に移行する一方、否であれば直に前記ステップＰ４７に移行する。
【０２３７】
次に、前述したステップＰ４７でメモリＭ５３からカウント値ＮＮを読込んだ後、ステップＰ４８でメモリＭ５３のカウント値ＮＮに１を加算して上書きし、ステップＰ３７に戻る。
【０２３８】
以上の動作フローによって、本刷り中止位置及び本刷り再開位置に対応してリジェクト装置６４が作動され、ヤレ紙（損紙）を確実に排除できる。
【０２３９】
次に、前述したステップＰ４９でメモリＭ４７のカウント値ＭＭに１を上書きした後、ステップＰ５０でメモリＭ４７からカウント値ＭＭを読込む。次いで、ステップＰ５１でメモリＭ４２からカウント値Ｍを読込む。
【０２４０】
次に、ステップＰ５２でカウント値MM＞カウント値Ｍか否かを判断し、可であれば後述するステップＰ６２に移行する一方、否であればステップＰ５３でメモリＭ４７からカウント値ＭＭを読込む。
【０２４１】
次に、ステップＰ５４で本刷り中止位置記憶用メモリＭ４４のMM番目のアドレス位置よりMM番目の本刷り中止位置を読込み、メモリＭ４８に記憶した後、ステップＰ５５でメモリＭ７０から小束部紙供給確認用センサ６３までの枚数（巻取紙輪転印刷機から小束部紙供給確認用センサ６３までの枚数）を読込む。
【０２４２】
次に、ステップＰ５６でMM番目の本刷り中止位置に小束部紙供給確認用センサ６３までの枚数を加算してMM番目のカウント中止位置を演算し、メモリＭ７１に記憶した後、ステップＰ５７でメモリＭ４６から現在の巻取紙輪転印刷機の印刷枚数を読込む。
【０２４３】
次に、ステップＰ５８でMM番目のカウント中止位置＝現在の巻取紙輪転印刷機の印刷枚数か否かを判断し、可であればステップＰ５９で現在の正紙枚数カウント用カウンタ６２へのイネーブル信号の出力を停止して後述するステップＰ６０に移行する一方、否であれば直に前記ステップＰ６０に移行する。
【０２４４】
次に、前述したステップＰ６０でメモリＭ４７からカウント値ＭＭを読込んだ後、ステップＰ６１でメモリＭ４７のカウント値ＭＭに１を加算して上書きし、ステップＰ５０に戻る。
【０２４５】
次に、前述したステップＰ６２でメモリＭ５３のカウント値ＮＮに１を上書きした後、ステップＰ６３でメモリＭ５３からカウント値ＮＮを読込む。次いで、ステップＰ６４でメモリＭ４３からカウント値Ｎを読込む。
【０２４６】
次に、ステップＰ６５でカウント値ＮＮ＞カウント値Ｎか否かを判断し、可であれば後述するステップＰ７５に移行する一方、否であればステップＰ６６でメモリＭ５３からカウント値ＮＮを読込む。
【０２４７】
次に、ステップＰ６７で本刷り再開位置記憶用メモリＭ４５のＮＮ番目のアドレス位置よりＮＮ番目の本刷り再開位置を読込み、メモリＭ５４に記憶した後、ステップＰ６８でメモリＭ７０から小束部紙供給確認用センサ６３までの枚数を読込む。
【０２４８】
次に、ステップＰ６９でＮＮ番目の本刷り再開位置に小束部紙供給確認用センサ６３までの枚数を加算してＮＮ番目のカウント再開位置を演算し、メモリＭ７２に記憶した後、ステップＰ７０でメモリＭ４６から現在の巻取紙輪転印刷機の印刷枚数を読込む。
【０２４９】
次に、ステップＰ７１でＮＮ番目のカウント再開位置＝現在の巻取紙輪転印刷機の印刷枚数か否かを判断し、可であればステップＰ７２で現在の正紙枚数カウント用カウンタ６２にイネーブル信号を出力して後述するステップＰ７３に移行する一方、否であれば直に前記ステップＰ７３に移行する。
【０２５０】
次に、前述したステップＰ７３でメモリＭ５３からカウント値ＮＮを読込んだ後、ステップＰ７４でメモリＭ５３のカウント値ＮＮに１を加算して上書きし、ステップＰ６３に戻る。
【０２５１】
次に、前述したステップＰ７５で現在の正紙枚数カウント用カウンタ６２よりカウント値を読込み、現在の正紙枚数記憶用メモリＭ７３に記憶した後、ステップＰ７６で巻取紙輪転印刷機の制御装置１０に現在の正紙枚数を送信する。次いで、ステップＰ７７で巻取紙輪転印刷機の制御装置１０より正紙枚数受信確認信号が送信されるとステップＰ１１に戻る。
【０２５２】
以上の動作フローによって、本刷り中止位置及び本刷り再開位置に対応して現在の正紙枚数カウント用カウンタ６２が作動される。
【０２５３】
このようにして本実施例では、スリッター１０９で巻取紙を左右方向に切断し、その後前後方向に切断された折丁をＡ側及びＢ側のスタッカー・バンドラー装置１１５Ａ，１１５Ｂに排出する巻取紙輪転印刷機１００において、Ａ側及びＢ側のスタッカー・バンドラー制御装置５０Ａ，５０Ｂから送られてくる正紙枚数をカウントし、同一絵柄の場合は、それらの合計値が必要枚数以上に達すると印刷を終了し、同一絵柄でない場合は、それらのうちの少ない方の正紙枚数が必要枚数に達すると印刷を終了するようにしたので、自動化によりオペレータの負担を軽減すると共に、可及的速やかに巻取紙輪転印刷機を停止することができ印刷資材の無駄を可及的に無くして稼働率を向上させることができる。
【実施例３】
【０２５４】
図１５Ａ及び図１５Ｂは本発明の実施例３を示す巻取紙輪転印刷機の制御装置のブロック図、図１６Ａ乃至図１６Ｃは巻取紙輪転印刷機の制御装置の動作フロー図、図１７Ａ乃至図１７Ｆは巻取紙輪転印刷機の制御装置の動作フロー図、図１８Ａ及び図１８Ｂは巻取紙輪転印刷機の制御装置の動作フロー図、図１９Ａ乃至図１９Ｆは巻取紙輪転印刷機の制御装置の動作フロー図、図２０Ａ及び図２０Ｂは巻取紙輪転印刷機の制御装置の動作フロー図、図２１Ａ乃至図２１Ｆは巻取紙輪転印刷機の制御装置の動作フロー図、図２２Ａ及び図２２Ｂは巻取紙輪転印刷機の制御装置の動作フロー図である。
【０２５５】
これは、実施例１及び２におけるＡ側及びＢ側のスタッカー・バンドラー装置１１５Ａ，１１５Ｂに代えて、Ａ側及びＢ側の排紙コンベア上に印刷物を排出する巻取紙輪転印刷機１００に本発明を適用した例である。即ち、Ａ側及びＢ側の排紙コンベア上の正紙枚数情報に基づいて巻取紙輪転印刷機の制御装置１０が正紙枚数をカウントし、正紙枚数が必要枚数になると、印刷を終了する例である。その他の構成は、実施例１及び２と同様なので図２３及び図２４を参照して重複する説明は省略する。
【０２５６】
即ち、巻取紙輪転印刷機の制御装置１０は、図１５Ａ及び図１５Ｂに示すように、ＣＰＵ１１とＲＯＭ１２とＲＡＭ１３と各入出力装置１４〜１９，２１Ａ，２１Ｂ，２２Ａ，２２Ｂ，２３とが共にＢＵＳ（母線）で接続されてなる。
【０２５７】
また、ＢＵＳ（母線）には、同一絵柄かどうかのデータ記憶用メモリＭ１と目標印刷枚数記憶用メモリＭ２と本刷り中止位置記憶用メモリＭ４と本刷り再開位置記憶用メモリＭ５と現在の総正紙枚数記憶用メモリＭ９と目標総印刷枚数記憶用メモリＭ１０とカウント値Ｍ記憶用メモリＭ１１とカウント値Ｎ記憶用メモリＭ１２が接続される。
【０２５８】
さらに、ＢＵＳ（母線）には、現在の巻取紙輪転印刷機の印刷枚数記憶用メモリＭ１３とカウント値ＭＭ記憶用メモリＭ１４とＭＭ番目の本刷り中止位置記憶用メモリＭ１５とＡ側のリジェクト装置までの枚数記憶用メモリＭ１６とＡ側のMM番目のリジェクト開始位置記憶用メモリＭ１７とＢ側のリジェクト装置までの枚数記憶用メモリＭ１８とＢ側のMM番目のリジェクト開始位置記憶用メモリＭ１９とカウント値ＮＮ記憶用メモリＭ２０とＮＮ番目の本刷り再開位置記憶用メモリＭ２１とが接続される。
【０２５９】
さらに、ＢＵＳ（母線）には、Ａ側のＮＮ番目のリジェクト完了位置記憶用メモリＭ２２とＢ側のＮＮ番目のリジェクト完了位置記憶用メモリＭ２３とＡ側排紙コンベア部の紙供給確認用センサまでの枚数記憶用メモリＭ２４とＡ側のＭＭ番目のカウント中止位置記憶用メモリＭ２５とＢ側排紙コンベア部の紙供給確認用センサまでの枚数記憶用メモリＭ２６とＢ側のＭＭ番目のカウント中止位置記憶用メモリＭ２７とＡ側のＮＮ番目のカウント再開位置記憶用メモリＭ２８とＢ側のＮＮ番目のカウント再開位置記憶用メモリＭ２９とＡ側の現在の正紙枚数カウント用カウンタのカウント値記憶用メモリＭ３０とＢ側の現在の正紙枚数カウント用カウンタのカウント値記憶用メモリＭ３１とが接続される。
【０２６０】
入出力装置１４には、同一絵柄設定スイッチ２６と設定完了スイッチ２７と印刷開始スイッチ２８と正紙スイッチ(自己保持型スイッチ)２９とキーボード等の入力装置３０とＣＲＴやディスプレイ等の表示器３１とプリンタやフロッピーディスク（登録商標）ドライブ等の出力装置３２とが接続される。
【０２６１】
入出力装置１５には、目標印刷枚数設定器３３が接続される。
【０２６２】
入出力装置１６には、巻取紙輪転印刷機の印刷枚数カウント用センサ３５が接続される。入出力装置１７には、現在の印刷枚数カウント用カウンタ３４が接続され、この現在の印刷枚数カウント用カウンタ３４には、巻取紙輪転印刷機の印刷枚数カウント用センサ３５が接続される。入出力装置１８には、現在の印刷枚数カウント用カウンタ３４が接続され、これにリセット信号とイネーブル信号とが送信されるようになっている。
【０２６３】
入出力装置２１Ａには、Ａ側の現在の正紙枚数カウント用カウンタ３８Ａが接続され、このＡ側の現在の正紙枚数カウント用カウンタ３８Ａにはアンド回路を介して巻取紙輪転印刷機の印刷枚数カウント用センサ３５とＡ側の排紙コンベア部紙供給確認用センサ３９Ａが接続される。入出力装置２２Ａには、Ａ側の現在の正紙枚数カウント用カウンタ３８Ａが接続され、これにリセット信号とイネーブル信号とが送信されるようになっている。
【０２６４】
入出力装置２１Ｂには、Ｂ側の現在の正紙枚数カウント用カウンタ３８Ｂが接続され、このＢ側の現在の正紙枚数カウント用カウンタ３８Ｂにはアンド回路を介して巻取紙輪転印刷機の印刷枚数カウント用センサ３５とＢ側の排紙コンベア部紙供給確認用センサ３９Ｂが接続される。入出力装置２２Ｂには、Ｂ側の現在の正紙枚数カウント用カウンタ３８Ｂが接続され、これにリセット信号とイネーブル信号とが送信されるようになっている。
【０２６５】
入出力装置２３には、Ａ側のリジェクト装置４０ＡとＢ側のリジェクト装置４０Ｂとが接続され、これらにリジェクト信号を送信するようになっている。
【０２６６】
入出力装置１９には、前述したウェブの自動紙継ぎ装置３６と印刷品質検査装置３７とが接続され、これらから損紙信号が入力されるようになっている。
【０２６７】
上述した構成の巻取紙輪転印刷機の制御装置１０の制御動作を、図１６Ａ乃至図１６Ｃ，図１７Ａ乃至図１７Ｆ，図１８Ａ及び図１８Ｂ，図１９Ａ乃至図１９Ｆ，図２０Ａ及び図２０Ｂ，図２１Ａ乃至図２１Ｆ，図２２Ａ及び図２２Ｂの動作フロー図にしたがって詳述する。
【０２６８】
先ず、ステップＰ１で初期化処理した後、ステップＰ２で設定完了スイッチ２７がONか否かを判断し、可であればステップＰ３で印刷開始スイッチ２８がONされると、ステップＰ４で印刷が開始される。
次に、ステップＰ５で現在の印刷枚数カウント用カウンタ３４へリセット信号及びイネーブル信号を出力した後、ステップＰ６で現在の印刷枚数カウント用カウンタ３４へのリセット信号の出力を停止する。
次に、ステップＰ７で正紙スイッチ(自己保持型スイッチ)２９がONされると、ステップＰ８でＡ側及びＢ側の現在の正紙枚数カウント用カウンタ３８Ａ，３８Ｂへリセット信号及びイネーブル信号を出力する。次いで、ステップＰ９でＡ側及びＢ側の現在の正紙枚数カウント用カウンタ３８Ａ，３８Ｂへのリセット信号の出力を停止する。
次に、ステップＰ１０でメモリＭ１１のカウント値Ｍに０を上書きした後、ステップＰ１１でメモリＭ１２のカウント値Ｎに０を上書きする。次いで、ステップＰ１２で巻取紙輪転印刷機の印刷枚数カウント用センサ３５の出力がONか否かを判断し、可であれば後述するステップＰ３６に移行する一方、否であれば後述するステップＰ２０に移行する。
また、前記ステップＰ２で否であればステップＰ１３で同一絵柄設定スイッチ２６がONか否かを判断し、可であればステップＰ１４で同一絵柄かどうかのデータ記憶用メモリＭ１の内容を読込む一方、否であれば後述するステップＰ１８に移行する。
【０２６９】
次に、ステップＰ１５で同一絵柄かどうかのデータ記憶用メモリの内容＝０か否かを判断し、可であればステップＰ１６で同一絵柄かどうかのデータ記憶用メモリＭ１に１(同一)を上書きして前記ステップＰ１８に移行する一方、否であればステップＰ１７で同一絵柄かどうかのデータ記憶用メモリＭ１に、0(異なる)を上書きして前記ステップＰ１８に移行する。
【０２７０】
次に、前述したステップＰ１８で目標印刷枚数設定器３３に目標印刷枚数が入力されたか否かを判断し、可であればステップＰ１９で目標印刷枚数設定器３３の設定値を読込み目標印刷枚数記憶用メモリＭ２に記憶した後、ステップＰ２に戻る一方、否であれば直にステップＰ２に戻る。
【０２７１】
次に、前述したステップＰ２０でウェブの自動紙継ぎ装置３６又は印刷品質検査装置３７からの損紙信号がONされたか否かを判断し、可であればステップＰ２１でメモリＭ１１のカウント値Ｍに１を加算し、上書きする一方、否であれば後述するステップＰ２７に移行する。
【０２７２】
次に、ステップＰ２２で現在の印刷枚数カウント用カウンタ３４よりカウント値を読込み、本刷り中止位置記憶用メモリＭ４のＭ番目のアドレス位置に記憶した後、ステップＰ２３で巻取紙輪転印刷機の印刷枚数カウント用センサ３５の出力がONか否かを判断し、可であれば後述するステップＰ１３２に移行する一方、否であればステップＰ２４で損紙信号がOＦＦか否かを判断する。
【０２７３】
次に、前記ステップＰ２４で可であればステップＰ２５でメモリＭ１２のカウント値Ｎに１を加算し、上書きした後、ステップＰ２６で現在の印刷枚数カウント用カウンタ３４よりカウント値を読込み、本刷り再開位置記憶用メモリＭ５のＮ番目のアドレス位置に記憶してステップＰ２７に移行する。一方、前記ステップＰ２４で否であればステップＰ２３に戻る。
【０２７４】
次に、前述したステップＰ２７で正紙スイッチ２９がOＦＦか否かを判断し、可であればステップＰ２８でメモリＭ１１のカウント値Ｍに１を加算し、上書きする一方、否であれば後述するステップＰ３４に移行する。
【０２７５】
次に、ステップＰ２９で現在の印刷枚数カウント用カウンタ３４よりカウント値を読込み、本刷り中止位置記憶用メモリＭ４のＭ番目のアドレス位置に記憶した後、ステップＰ３０で巻取紙輪転印刷機の印刷枚数カウント用センサ３５の出力がONか否かを判断し、可であれば後述するステップＰ２２９に移行する一方、否であればステップＰ３１で正紙スイッチ２９がＯＮか否かを判断する。
【０２７６】
次に、前記ステップＰ３１で可であればステップＰ３２でメモリＭ１２のカウント値Ｎに１を加算し、上書きした後、ステップＰ３３で現在の印刷枚数カウント用カウンタ３４よりカウント値を読込み、本刷り再開位置記憶用メモリＭ５のＮ番目のアドレス位置に記憶する。一方、前記ステップＰ３１で否であればステップＰ３０に戻る。
【０２７７】
次に、ステップＰ３４で目標印刷枚数設定器３３に目標印刷枚数が再入力されたか否かを判断し、可であればステップＰ３５で目標印刷枚数設定器３３の設定値を読込み、目標印刷枚数記憶用メモリＭ２に記憶してステップＰ１２に戻る一方、否であれば直にステップＰ１２に戻る。
【０２７８】
以上の動作フローによって、現在の印刷枚数カウント用カウンタ３４のカウント値より、損紙信号がＯＮされ、また正紙スイッチ２９がＯＦＦされると、本刷り中止位置が記憶されると共に、損紙信号がＯＦＦされ、また正紙スイッチ２９がＯＮされると、本刷り再開位置が記憶される。また、目標印刷枚数設定器３３に目標印刷枚数が再入力されると目標印刷枚数記憶用メモリＭ２に記憶される。
【０２７９】
次に、前述したステップＰ３６で現在の印刷枚数カウント用カウンタ３４よりカウント値を読込み、現在の巻取紙輪転印刷機の印刷枚数記憶用メモリＭ１３に記憶した後、ステップＰ３７でメモリＭ１４のカウント値ＭＭに１を上書きした後、ステップＰ３８でメモリＭ１４からカウント値ＭＭを読込む。次いで、ステップＰ３９でメモリＭ１１からカウント値Ｍを読込む。
【０２８０】
次に、ステップＰ４０でカウント値MM＞カウント値Ｍか否かを判断し、可であれば後述するステップＰ５７に移行する一方、否であればステップＰ４１でメモリＭ１４からカウント値ＭＭを読込む。
【０２８１】
次に、ステップＰ４２で本刷り中止位置記憶用メモリＭ４のMM番目のアドレス位置よりMM番目の本刷り中止位置を読込み、メモリＭ１５に記憶した後、ステップＰ４３でメモリＭ１６からＡ側のリジェクト装置４０Ａまでの枚数（巻取紙輪転印刷機からＡ側のリジェクト装置４０Ａまでの枚数）を読込む。
【０２８２】
次に、ステップＰ４４でMM番目の本刷り中止位置にＡ側のリジェクト装置４０Ａまでの枚数を加算してＡ側のMM番目のリジェクト開始位置を演算し、メモリＭ１７に記憶した後、ステップＰ４５でメモリＭ１３から現在の巻取紙輪転印刷機の印刷枚数を読込む。
【０２８３】
次に、ステップＰ４６でＡ側のMM番目のリジェクト開始位置＝現在の巻取紙輪転印刷機の印刷枚数か否かを判断し、可であればステップＰ４７でＡ側のリジェクト装置４０Ａにリジェクト信号を出力して後述するステップＰ４８に移行する一方、否であれば直に前記ステップＰ４８に移行する。
【０２８４】
次に、前述したステップＰ４８でメモリＭ１４からカウント値ＭＭを読込んだ後、ステップＰ４９で本刷り中止位置記憶用メモリＭ４のＭＭ番目のアドレス位置よりMM番目の本刷り中止位置を読込み、メモリＭ１５に記憶する。
【０２８５】
次に、ステップＰ５０でメモリＭ１８からＢ側のリジェクト装置４０Ｂまでの枚数（巻取紙輪転印刷機からＢ側のリジェクト装置４０Ｂまでの枚数）を読込んだ後、ステップＰ５１でMM番目の本刷り中止位置にＢ側のリジェクト装置４０Ｂまでの枚数を加算し、Ｂ側のMM番目のリジェクト開始位置を演算して、メモリＭ１９に記憶する。
【０２８６】
次に、ステップＰ５２でメモリＭ１３から現在の巻取紙輪転印刷機の印刷枚数を読込んだ後、ステップＰ５３でＢ側のMM番目のリジェクト開始位置＝現在の巻取紙輪転印刷機の印刷枚数か否かを判断する。
【０２８７】
次に、前記ステップＰ５３で可であればステップＰ５４でＢ側のリジェクト装置４０Ｂにリジェクト信号を出力して後述するステップＰ５５に移行する一方、否であれば直に前記ステップ５５に移行する。
【０２８８】
次に、前述したステップＰ５５でメモリＭ１４からカウント値ＭＭを読込んだ後、ステップＰ５６でメモリＭ１４のカウント値ＭＭに１を加算して上書きし、ステップＰ３８に戻る。
【０２８９】
次に、前述したステップＰ５７でメモリＭ２０のカウント値ＮＮに１を上書きした後、ステップＰ５８でメモリＭ２０からカウント値ＮＮを読込む。次いで、ステップＰ５９でメモリＭ１２からカウント値Ｎを読込む。
【０２９０】
次に、ステップＰ６０でカウント値ＮＮ＞カウント値Ｎか否かを判断し、可であれば後述するステップＰ７７に移行する一方、否であればステップＰ６１でメモリＭ２０からカウント値ＮＮを読込む。
【０２９１】
次に、ステップＰ６２で本刷り再開位置記憶用メモリＭ５のＮＮ番目のアドレス位置よりＮＮ番目の本刷り再開位置を読込み、メモリＭ２１に記憶した後、ステップＰ６３でメモリＭ１６からＡ側のリジェクト装置４０Ａまでの枚数を読込む。
【０２９２】
次に、ステップＰ６４でＮＮ番目の本刷り再開位置にＡ側のリジェクト装置４０Ａまでの枚数を加算してＡ側のＮＮ番目のリジェクト完了位置を演算し、メモリＭ２２に記憶した後、ステップＰ６５でメモリＭ１３から現在の巻取紙輪転印刷機の印刷枚数を読込む。
【０２９３】
次に、ステップＰ６６でＡ側のＮＮ番目のリジェクト完了位置＝現在の巻取紙輪転印刷機の印刷枚数か否かを判断し、可であればステップＰ６７でＡ側のリジェクト装置４０Ａへのリジェクト信号の出力を停止して後述するステップＰ６８に移行する一方、否であれば直に前記ステップＰ６８に移行する。
【０２９４】
次に、前述したステップＰ６８でメモリＭ２０からカウント値ＮＮを読込んだ後、ステップＰ６９で本刷り再開位置記憶用メモリＭ５のＮＮ番目のアドレス位置よりＮＮ番目の本刷り再開位置を読込み、メモリＭ２１に記憶する。
【０２９５】
次に、ステップＰ７０でメモリＭ１８からＢ側のリジェクト装置４０Ｂまでの枚数を読込んだ後、ステップＰ７１でＮＮ番目の本刷り再開位置にＢ側のリジェクト装置４０Ｂまでの枚数を加算し、Ｂ側のＮＮ番目のリジェクト完了位置を演算して、メモリＭ２３に記憶する。
【０２９６】
次に、ステップＰ７２でメモリＭ１３から現在の巻取紙輪転印刷機の印刷枚数を読込んだ後、ステップＰ７３でＢ側のＮＮ番目のリジェクト完了位置＝現在の巻取紙輪転印刷機の印刷枚数か否かを判断する。
【０２９７】
次に、前記ステップＰ７３で可であればステップＰ７４でＢ側のリジェクト装置４０Ｂへのリジェクト信号の出力を停止して後述するステップＰ７５に移行する一方、否であれば直に前記ステップ７５に移行する。
【０２９８】
次に、前述したステップＰ７５でメモリＭ２０からカウント値ＮＮを読込んだ後、ステップＰ７６でメモリＭ２０のカウント値ＮＮに１を加算して上書きし、ステップＰ５８に戻る。
【０２９９】
以上の動作フローによって、本刷り中止位置及び本刷り再開位置に対応してＡ側及びＢ側のリジェクト装置４０Ａ，４０Ｂが作動され、ヤレ紙（損紙）を確実に排除できる。
【０３００】
次に、前述したステップＰ７７でメモリＭ１４のカウント値ＭＭに１を上書きした後、ステップＰ７８でメモリＭ１４からカウント値ＭＭを読込む。次いで、ステップＰ７９でメモリＭ１１からカウント値Ｍを読込む。
【０３０１】
次に、ステップＰ８０でカウント値MM＞カウント値Ｍか否かを判断し、可であれば後述するステップＰ９７に移行する一方、否であればステップＰ８１でメモリＭ１４からカウント値ＭＭを読込む。
【０３０２】
次に、ステップＰ８２で本刷り中止位置記憶用メモリＭ４のMM番目のアドレス位置よりMM番目の本刷り中止位置を読込み、メモリＭ１５に記憶した後、ステップＰ８３でメモリＭ２４からＡ側の排紙コンベア部紙供給確認用センサ３９Ａまでの枚数（巻取紙輪転印刷機からＡ側の排紙コンベア部紙供給確認用センサ３９Ａまでの枚数）を読込む。
【０３０３】
次に、ステップＰ８４でMM番目の本刷り中止位置にＡ側の排紙コンベア部紙供給確認用センサ３９Ａまでの枚数を加算してＡ側のMM番目のカウント中止位置を演算し、メモリＭ２５に記憶した後、ステップＰ８５でメモリＭ１３から現在の巻取紙輪転印刷機の印刷枚数を読込む。
【０３０４】
次に、ステップＰ８６でＡ側のMM番目のカウント中止位置＝現在の巻取紙輪転印刷機の印刷枚数か否かを判断し、可であればステップＰ８７でＡ側の現在の正紙枚数カウント用カウンタ３８Ａへのイネーブル信号の出力を停止して後述するステップＰ８８に移行する一方、否であれば直に前記ステップＰ８８に移行する。
【０３０５】
次に、前述したステップＰ８８でメモリＭ１４からカウント値ＭＭを読込んだ後、ステップＰ８９で本刷り中止位置記憶用メモリＭ４のＭＭ番目のアドレス位置よりMM番目の本刷り中止位置を読込み、メモリＭ１５に記憶する。
【０３０６】
次に、ステップＰ９０でメモリＭ２６からＢ側の排紙コンベア部紙供給確認用センサ３９Ｂまでの枚数（巻取紙輪転印刷機からＢ側の排紙コンベア部紙供給確認用センサ３９Ｂまでの枚数）を読込んだ後、ステップＰ９１でMM番目の本刷り中止位置にＢ側の排紙コンベア部紙供給確認用センサ３９Ｂまでの枚数を加算し、Ｂ側のMM番目のカウント中止位置を演算して、メモリＭ２７に記憶する。
【０３０７】
次に、ステップＰ９２でメモリＭ１３から現在の巻取紙輪転印刷機の印刷枚数を読込んだ後、ステップＰ９３でＢ側のMM番目のカウント中止位置＝現在の巻取紙輪転印刷機の印刷枚数か否かを判断する。
【０３０８】
次に、前記ステップＰ９３で可であればステップＰ９４でＢ側の現在の正紙枚数カウント用カウンタ３８Ｂへのイネーブル信号の出力を停止して後述するステップＰ９５に移行する一方、否であれば直に前記ステップ９５に移行する。
【０３０９】
次に、前述したステップＰ９５でメモリＭ１４からカウント値ＭＭを読込んだ後、ステップＰ９６でメモリＭ１４のカウント値ＭＭに１を加算して上書きし、ステップＰ７８に戻る。
【０３１０】
次に、前述したステップＰ９７でメモリＭ２０のカウント値ＮＮに１を上書きした後、ステップＰ９８でメモリＭ２０からカウント値ＮＮを読込む。次いで、ステップＰ９９でメモリＭ１２からカウント値Ｎを読込む。
【０３１１】
次に、ステップＰ１００でカウント値ＮＮ＞カウント値Ｎか否かを判断し、可であれば後述するステップＰ１１７に移行する一方、否であればステップＰ１０１でメモリＭ２０からカウント値ＮＮを読込む。
【０３１２】
次に、ステップＰ１０２で本刷り再開位置記憶用メモリＭ５のＮＮ番目のアドレス位置よりＮＮ番目の本刷り再開位置を読込み、メモリＭ２１に記憶した後、ステップＰ１０３でメモリＭ２４からＡ側の排紙コンベア部紙供給確認用センサ３９Ａまでの枚数を読込む。
【０３１３】
次に、ステップＰ１０４でＮＮ番目の本刷り再開位置にＡ側の排紙コンベア部紙供給確認用センサ３９Ａまでの枚数を加算してＡ側のＮＮ番目のカウント再開位置を演算し、メモリＭ２８に記憶した後、ステップＰ１０５でメモリＭ１３から現在の巻取紙輪転印刷機の印刷枚数を読込む。
【０３１４】
次に、ステップＰ１０６でＡ側のＮＮ番目のカウント再開位置＝現在の巻取紙輪転印刷機の印刷枚数か否かを判断し、可であればステップＰ１０７でＡ側の現在の正紙枚数カウント用カウンタ３８Ａにイネーブル信号を出力して後述するステップＰ１０８に移行する一方、否であれば直に前記ステップＰ１０８に移行する。
【０３１５】
次に、前述したステップＰ１０８でメモリＭ２０からカウント値ＮＮを読込んだ後、ステップＰ１０９で本刷り再開位置記憶用メモリＭ５のＮＮ番目のアドレス位置よりＮＮ番目の本刷り再開位置を読込み、メモリＭ２１に記憶する。
【０３１６】
次に、ステップＰ１１０でメモリＭ２６からＢ側の排紙コンベア部紙供給確認用センサ３９Ｂまでの枚数を読込んだ後、ステップＰ１１１でＮＮ番目の本刷り再開位置にＢ側の排紙コンベア部紙供給確認用センサ３９Ｂまでの枚数を加算し、Ｂ側のＮＮ番目のカウント再開位置を演算して、メモリＭ２９に記憶する。
【０３１７】
次に、ステップＰ１１２でメモリＭ１３から現在の巻取紙輪転印刷機の印刷枚数を読込んだ後、ステップＰ１１３でＢ側のＮＮ番目のカウント再開位置＝現在の巻取紙輪転印刷機の印刷枚数か否かを判断する。
【０３１８】
次に、前記ステップＰ１１３で可であればステップＰ１１４でＢ側の現在の正紙枚数カウント用カウンタ３８Ｂにイネーブル信号を出力して後述するステップＰ１１５に移行する一方、否であれば直に前記ステップ１１５に移行する。尚、同一絵柄の場合の印刷完了の判断を（現在の総印刷枚数≧目標総印刷枚数）としたのは、この場合の総印刷枚数は常に偶数であり、それに対し、Ａ側及びＢ側の現在の正紙枚数カウント用カウンタのカウント値が一方は偶数で他方が奇数である場合があり、その場合には、（現在の総印刷枚数＝目標総印刷枚数＋１）になった時点で印刷完了となる為である。
【０３１９】
次に、前述したステップＰ１１５でメモリＭ２０からカウント値ＮＮを読込んだ後、ステップＰ１１６でメモリＭ２０のカウント値ＮＮに１を加算して上書きし、ステップＰ９８に戻る。
【０３２０】
以上の動作フローによって、本刷り中止位置及び本刷り再開位置に対応してＡ側及びＢ側の現在の正紙枚数カウント用カウンタ３８Ａ，３８Ｂが作動され、正紙枚数を正確にカウントできる。
【０３２１】
次に、前述したステップＰ１１７でメモリＭ１から同一絵柄かどうかのデータを読込んだ後、ステップＰ１１８で同一絵柄かどうかのデータ＝１か否かを判断し、可であればステップＰ１１９でＡ側の現在の正紙枚数カウント用カウンタ３８Ａよりカウント値を読込み、メモリＭ３０に記憶する一方、否であれば後述するステップＰ１２６に移行する。
【０３２２】
次に、ステップＰ１２０でＢ側の現在の正紙枚数カウント用カウンタ３８Ｂよりカウント値を読込み、メモリＭ３１に記憶した後、ステップＰ１２１でＡ側の現在の正紙枚数カウント用カウンタ３８Ａのカウント値にＢ側の現在の正紙枚数カウント用カウンタ３８Ｂのカウント値を加算して現在の総正紙枚数を演算し、メモリＭ９に記憶する。
【０３２３】
次に、ステップＰ１２２でメモリＭ２から目標印刷枚数を読込んだ後、ステップＰ１２３で目標印刷枚数に２を乗算して目標総印刷枚数を演算し、メモリＭ１０に記憶する。
【０３２４】
次に、ステップＰ１２４で現在の総正紙枚数≧目標総印刷枚数か否かを判断し、可であればステップＰ１２５で印刷を終了する一方、否であればステップＰ１２に戻る。
【０３２５】
次に、前述したステップＰ１２６でＡ側の現在の正紙枚数カウント用カウンタ３８Ａよりカウント値を読込み、メモリＭ３０に記憶した後、ステップＰ１２７でＢ側の現在の正紙枚数カウント用カウンタ３８Ｂよりカウント値を読込み、メモリＭ３１に記憶する。
【０３２６】
次に、ステップＰ１２８でＡ側の現在の正紙枚数カウント用カウンタのカウント値≦Ｂ側の現在の正紙枚数カウント用カウンタのカウント値か否かを判断し、可であればステップＰ１２９でメモリＭ２から目標印刷枚数を読込む一方、否であれば後述するステップＰ１３１に移行する。
【０３２７】
次に、ステップＰ１３０でＡ側の現在の正紙枚数カウント用カウンタのカウント値＝目標印刷枚数か否かを判断し、可であればステップＰ１２５で印刷を終了する一方、否であればステップＰ１２に戻る。
【０３２８】
次に、前述したステップＰ１３１でメモリＭ２から目標印刷枚数を読込んだ後、ステップＰ１３２でＢ側の現在の正紙枚数カウント用カウンタのカウント値＝目標印刷枚数か否かを判断し、可であればステップＰ１２５で印刷を終了する一方、否であればステップＰ１２に戻る。
【０３２９】
以上の動作フローによって、同一絵柄の場合は、Ａ側及びＢ側の排紙コンベアにそれぞれ排出された正紙枚数の合計が必要枚数以上に達すると巻取紙輪転印刷機１００の印刷を終了する一方、同一絵柄でない場合は、排出された正紙枚数の少ない方の排紙コンベアに排出された正紙枚数が必要枚数に達すると巻取紙輪転印刷機１００の印刷を終了する。
【０３３０】
また、前述したステップＰ１３２で現在の印刷枚数カウント用カウンタ３４よりカウント値を読込み、現在の巻取紙輪転印刷機の印刷枚数記憶用メモリＭ１３に記憶した後、ステップＰ１３３でメモリＭ１４のカウント値ＭＭに１を上書きした後、ステップＰ１３４でメモリＭ１４からカウント値ＭＭを読込む。次いで、ステップＰ１３５でメモリＭ１１からカウント値Ｍを読込む。
【０３３１】
次に、ステップＰ１３６でカウント値MM＞カウント値Ｍか否かを判断し、可であれば後述するステップＰ１５３に移行する一方、否であればステップＰ１３７でメモリＭ１４からカウント値ＭＭを読込む。
【０３３２】
次に、ステップＰ１３８で本刷り中止位置記憶用メモリＭ４のMM番目のアドレス位置よりMM番目の本刷り中止位置を読込み、メモリＭ１５に記憶した後、ステップＰ１３９でメモリＭ１６からＡ側のリジェクト装置４０Ａまでの枚数を読込む。
【０３３３】
次に、ステップＰ１４０でMM番目の本刷り中止位置にＡ側のリジェクト装置４０Ａまでの枚数を加算してＡ側のMM番目のリジェクト開始位置を演算し、メモリＭ１７に記憶した後、ステップＰ１４１でメモリＭ１３から現在の巻取紙輪転印刷機の印刷枚数を読込む。
【０３３４】
次に、ステップＰ１４２でＡ側のMM番目のリジェクト開始位置＝現在の巻取紙輪転印刷機の印刷枚数か否かを判断し、可であればステップＰ１４３でＡ側のリジェクト装置４０Ａにリジェクト信号を出力して後述するステップＰ１４４に移行する一方、否であれば直に前記ステップＰ１４４に移行する。
【０３３５】
次に、前述したステップＰ１４４でメモリＭ１４からカウント値ＭＭを読込んだ後、ステップＰ１４５で本刷り中止位置記憶用メモリＭ４のＭＭ番目のアドレス位置よりMM番目の本刷り中止位置を読込み、メモリＭ１５に記憶する。
【０３３６】
次に、ステップＰ１４６でメモリＭ１８からＢ側のリジェクト装置４０Ｂまでの枚数を読込んだ後、ステップＰ１４７でMM番目の本刷り中止位置にＢ側のリジェクト装置４０Ｂまでの枚数を加算し、Ｂ側のMM番目のリジェクト開始位置を演算して、メモリＭ１９に記憶する。
【０３３７】
次に、ステップＰ１４８でメモリＭ１３から現在の巻取紙輪転印刷機の印刷枚数を読込んだ後、ステップＰ１４９でＢ側のMM番目のリジェクト開始位置＝現在の巻取紙輪転印刷機の印刷枚数か否かを判断する。
【０３３８】
次に、前記ステップＰ１４９で可であればステップＰ１５０でＢ側のリジェクト装置４０Ｂにリジェクト信号を出力して後述するステップＰ１５１に移行する一方、否であれば直に前記ステップ１５１に移行する。
【０３３９】
次に、前述したステップＰ１５１でメモリＭ１４からカウント値ＭＭを読込んだ後、ステップＰ１５２でメモリＭ１４のカウント値ＭＭに１を加算して上書きし、ステップＰ１３４に戻る。
【０３４０】
次に、前述したステップＰ１５３でメモリＭ２０のカウント値ＮＮに１を上書きした後、ステップＰ１５４でメモリＭ２０からカウント値ＮＮを読込む。次いで、ステップＰ１５５でメモリＭ１２からカウント値Ｎを読込む。
【０３４１】
次に、ステップＰ１５６でカウント値ＮＮ＞カウント値Ｎか否かを判断し、可であれば後述するステップＰ１７３に移行する一方、否であればステップＰ１５７でメモリＭ２０からカウント値ＮＮを読込む。
【０３４２】
次に、ステップＰ１５８で本刷り再開位置記憶用メモリＭ５のＮＮ番目のアドレス位置よりＮＮ番目の本刷り再開位置を読込み、メモリＭ２１に記憶した後、ステップＰ１５９でメモリＭ１６からＡ側のリジェクト装置４０Ａまでの枚数を読込む。
【０３４３】
次に、ステップＰ１６０でＮＮ番目の本刷り再開位置にＡ側のリジェクト装置４０Ａまでの枚数を加算してＡ側のＮＮ番目のリジェクト完了位置を演算し、メモリＭ２２に記憶した後、ステップＰ１６１でメモリＭ１３から現在の巻取紙輪転印刷機の印刷枚数を読込む。
【０３４４】
次に、ステップＰ１６２でＡ側のＮＮ番目のリジェクト完了位置＝現在の巻取紙輪転印刷機の印刷枚数か否かを判断し、可であればステップＰ１６３でＡ側のリジェクト装置４０Ａへのリジェクト信号の出力を停止して後述するステップＰ１６４に移行する一方、否であれば直に前記ステップＰ１６４に移行する。
【０３４５】
次に、前述したステップＰ１６４でメモリＭ２０からカウント値ＮＮを読込んだ後、ステップＰ１６５で本刷り再開位置記憶用メモリＭ５のＮＮ番目のアドレス位置よりＮＮ番目の本刷り再開位置を読込み、メモリＭ２１に記憶する。
【０３４６】
次に、ステップＰ１６６でメモリＭ１８からＢ側のリジェクト装置４０Ｂまでの枚数を読込んだ後、ステップＰ１６７でＮＮ番目の本刷り再開位置にＢ側のリジェクト装置４０Ｂまでの枚数を加算し、Ｂ側のＮＮ番目のリジェクト完了位置を演算して、メモリＭ２３に記憶する。
【０３４７】
次に、ステップＰ１６８でメモリＭ１３から現在の巻取紙輪転印刷機の印刷枚数を読込んだ後、ステップＰ１６９でＢ側のＮＮ番目のリジェクト完了位置＝現在の巻取紙輪転印刷機の印刷枚数か否かを判断する。
【０３４８】
次に、前記ステップＰ１６９で可であればステップＰ１７０でＢ側のリジェクト装置４０Ｂへのリジェクト信号の出力を停止して後述するステップＰ１７１に移行する一方、否であれば直に前記ステップ１７１に移行する。
【０３４９】
次に、前述したステップＰ１７１でメモリＭ２０からカウント値ＮＮを読込んだ後、ステップＰ１７２でメモリＭ２０のカウント値ＮＮに１を加算して上書きし、ステップＰ１５４に戻る。
【０３５０】
以上の動作フローによって、本刷り中止位置及び本刷り再開位置に対応してＡ側及びＢ側のリジェクト装置４０Ａ，４０Ｂが作動され、ヤレ紙（損紙）を確実に排除できる。
【０３５１】
次に、前述したステップＰ１７３でメモリＭ１４のカウント値ＭＭに１を上書きした後、ステップＰ１７４でメモリＭ１４からカウント値ＭＭを読込む。次いで、ステップＰ１７５でメモリＭ１１からカウント値Ｍを読込む。
【０３５２】
次に、ステップＰ１７６でカウント値MM＞カウント値Ｍか否かを判断し、可であれば後述するステップＰ１９３に移行する一方、否であればステップＰ１７７でメモリＭ１４からカウント値ＭＭを読込む。
【０３５３】
次に、ステップＰ１７８で本刷り中止位置記憶用メモリＭ４のMM番目のアドレス位置よりMM番目の本刷り中止位置を読込み、メモリＭ１５に記憶した後、ステップＰ１７９でメモリＭ２４からＡ側の排紙コンベア部紙供給確認用センサ３９Ａまでの枚数を読込む。
【０３５４】
次に、ステップＰ１８０でMM番目の本刷り中止位置にＡ側の排紙コンベア部紙供給確認用センサ３９Ａまでの枚数を加算してＡ側のMM番目のカウント中止位置を演算し、メモリＭ２５に記憶した後、ステップＰ１８１でメモリＭ１３から現在の巻取紙輪転印刷機の印刷枚数を読込む。
【０３５５】
次に、ステップＰ１８２でＡ側のMM番目のカウント中止位置＝現在の巻取紙輪転印刷機の印刷枚数か否かを判断し、可であればステップＰ１８３でＡ側の現在の正紙枚数カウント用カウンタ３８Ａへのイネーブル信号の出力を停止して後述するステップＰ１８４に移行する一方、否であれば直に前記ステップＰ１８４に移行する。
【０３５６】
次に、前述したステップＰ１８４でメモリＭ１４からカウント値ＭＭを読込んだ後、ステップＰ１８５で本刷り中止位置記憶用メモリＭ４のＭＭ番目のアドレス位置よりMM番目の本刷り中止位置を読込み、メモリＭ１５に記憶する。
【０３５７】
次に、ステップＰ１８６でメモリＭ２６からＢ側の排紙コンベア部紙供給確認用センサ３９Ｂまでの枚数を読込んだ後、ステップＰ１８７でMM番目の本刷り中止位置にＢ側の排紙コンベア部紙供給確認用センサ３９Ｂまでの枚数を加算し、Ｂ側のMM番目のカウント中止位置を演算して、メモリＭ２７に記憶する。
【０３５８】
次に、ステップＰ１８８でメモリＭ１３から現在の巻取紙輪転印刷機の印刷枚数を読込んだ後、ステップＰ１８９でＢ側のMM番目のカウント中止位置＝現在の巻取紙輪転印刷機の印刷枚数か否かを判断する。
【０３５９】
次に、前記ステップＰ１８９で可であればステップＰ１９０でＢ側の現在の正紙枚数カウント用カウンタ３８Ｂへのイネーブル信号の出力を停止して後述するステップＰ１９１に移行する一方、否であれば直に前記ステップ１９１に移行する。
【０３６０】
次に、前述したステップＰ１９１でメモリＭ１４からカウント値ＭＭを読込んだ後、ステップＰ１９２でメモリＭ１４のカウント値ＭＭに１を加算して上書きし、ステップＰ１７４に戻る。
【０３６１】
次に、前述したステップＰ１９３でメモリＭ２０のカウント値ＮＮに１を上書きした後、ステップＰ１９４でメモリＭ２０からカウント値ＮＮを読込む。次いで、ステップＰ１９５でメモリＭ１２からカウント値Ｎを読込む。
【０３６２】
次に、ステップＰ１９６でカウント値ＮＮ＞カウント値Ｎか否かを判断し、可であれば後述するステップＰ２１３に移行する一方、否であればステップＰ１９７でメモリＭ２０からカウント値ＮＮを読込む。
【０３６３】
次に、ステップＰ１９８で本刷り再開位置記憶用メモリＭ５のＮＮ番目のアドレス位置よりＮＮ番目の本刷り再開位置を読込み、メモリＭ２１に記憶した後、ステップＰ１９９でメモリＭ２４からＡ側の排紙コンベア部紙供給確認用センサ３９Ａまでの枚数を読込む。
【０３６４】
次に、ステップＰ２００でＮＮ番目の本刷り再開位置にＡ側の排紙コンベア部紙供給確認用センサ３９Ａまでの枚数を加算してＡ側のＮＮ番目のカウント再開位置を演算し、メモリＭ２８に記憶した後、ステップＰ２０１でメモリＭ１３から現在の巻取紙輪転印刷機の印刷枚数を読込む。
【０３６５】
次に、ステップＰ２０２でＡ側のＮＮ番目のカウント再開位置＝現在の巻取紙輪転印刷機の印刷枚数か否かを判断し、可であればステップＰ２０３でＡ側の現在の正紙枚数カウント用カウンタ３８Ａにイネーブル信号を出力して後述するステップＰ２０４に移行する一方、否であれば直に前記ステップＰ２０４に移行する。
【０３６６】
次に、前述したステップＰ２０４でメモリＭ２０からカウント値ＮＮを読込んだ後、ステップＰ２０５で本刷り再開位置記憶用メモリＭ５のＮＮ番目のアドレス位置よりＮＮ番目の本刷り再開位置を読込み、メモリＭ２１に記憶する。
【０３６７】
次に、ステップＰ２０６でメモリＭ２６からＢ側の排紙コンベア部紙供給確認用センサ３９Ｂまでの枚数を読込んだ後、ステップＰ２０７でＮＮ番目の本刷り再開位置にＢ側の排紙コンベア部紙供給確認用センサ３９Ｂまでの枚数を加算し、Ｂ側のＮＮ番目のカウント再開位置を演算して、メモリＭ２９に記憶する。
【０３６８】
次に、ステップＰ２０８でメモリＭ１３から現在の巻取紙輪転印刷機の印刷枚数を読込んだ後、ステップＰ２０９でＢ側のＮＮ番目のカウント再開位置＝現在の巻取紙輪転印刷機の印刷枚数か否かを判断する。
【０３６９】
次に、前記ステップＰ２０９で可であればステップＰ２１０でＢ側の現在の正紙枚数カウント用カウンタ３８Ｂにイネーブル信号を出力して後述するステップＰ２１１に移行する一方、否であれば直に前記ステップ２１１に移行する。
【０３７０】
次に、前述したステップＰ２１１でメモリＭ２０からカウント値ＮＮを読込んだ後、ステップＰ２１２でメモリＭ２０のカウント値ＮＮに１を加算して上書きし、ステップＰ１９４に戻る。
【０３７１】
以上の動作フローによって、本刷り中止位置及び本刷り再開位置に対応してＡ側及びＢ側の現在の正紙枚数カウント用カウンタ３８Ａ，３８Ｂが作動され、正紙枚数を正確にカウントできる。
【０３７２】
次に、前述したステップＰ２１３でメモリＭ１から同一絵柄かどうかのデータを読込んだ後、ステップＰ２１４で同一絵柄かどうかのデータ＝１か否かを判断し、可であればステップＰ２１５でＡ側の現在の正紙枚数カウント用カウンタ３８Ａよりカウント値を読込み、メモリＭ３０に記憶する一方、否であれば後述するステップＰ２２２に移行する。
【０３７３】
次に、ステップＰ２１６でＢ側の現在の正紙枚数カウント用カウンタ３８Ｂよりカウント値を読込み、メモリＭ３１に記憶した後、ステップＰ２１７でＡ側の現在の正紙枚数カウント用カウンタ３８Ａのカウント値にＢ側の現在の正紙枚数カウント用カウンタ３８Ｂのカウント値を加算して現在の総正紙枚数を演算し、メモリＭ９に記憶する。
【０３７４】
次に、ステップＰ２１８でメモリＭ２から目標印刷枚数を読込んだ後、ステップＰ２１９で目標印刷枚数に２を乗算して目標総印刷枚数を演算し、メモリＭ１０に記憶する。
【０３７５】
次に、ステップＰ２２０で現在の総正紙枚数≧目標総印刷枚数か否かを判断し、可であればステップＰ２２１で印刷を終了する一方、否であればステップＰ２４に戻る。
【０３７６】
次に、前述したステップＰ２２２でＡ側の現在の正紙枚数カウント用カウンタ３８Ａよりカウント値を読込み、メモリＭ３０に記憶した後、ステップＰ２２３でＢ側の現在の正紙枚数カウント用カウンタ３８Ｂよりカウント値を読込み、メモリＭ３１に記憶する。
【０３７７】
次に、ステップＰ２２４でＡ側の現在の正紙枚数カウント用カウンタのカウント値≦Ｂ側の現在の正紙枚数カウント用カウンタのカウント値か否かを判断し、可であればステップＰ２２５でメモリＭ２から目標印刷枚数を読込む一方、否であれば後述するステップＰ２２７に移行する。
【０３７８】
次に、ステップＰ２２６でＡ側の現在の正紙枚数カウント用カウンタのカウント値＝目標印刷枚数か否かを判断し、可であればステップＰ２２１で印刷を終了する一方、否であればステップＰ２４に戻る。
【０３７９】
次に、前述したステップＰ２２７でメモリＭ２から目標印刷枚数を読込んだ後、ステップＰ２２８でＢ側の現在の正紙枚数カウント用カウンタのカウント値＝目標印刷枚数か否かを判断し、可であればステップＰ２２１で印刷を終了する一方、否であればステップＰ２４に戻る。尚、同一絵柄の場合の印刷完了の判断を（現在の総印刷枚数≧目標総印刷枚数）としたのは、この場合の総印刷枚数は常に偶数であり、それに対し、Ａ側及びＢ側の現在の正紙枚数カウント用カウンタのカウント値が一方は偶数で他方が奇数である場合があり、その場合には、（現在の総印刷枚数＝目標総印刷枚数＋１）になった時点で印刷完了となる為である。
【０３８０】
以上の動作フローによって、同一絵柄の場合は、Ａ側及びＢ側の排紙コンベアにそれぞれ排出された正紙枚数の合計が必要枚数以上に達すると巻取紙輪転印刷機１００の印刷を終了する一方、同一絵柄でない場合は、排出された正紙枚数の少ない方の排紙コンベアに排出された正紙枚数が必要枚数に達すると巻取紙輪転印刷機１００の印刷を終了する。
【０３８１】
次に、前述したステップＰ２２９で現在の印刷枚数カウント用カウンタ３４よりカウント値を読込み、現在の巻取紙輪転印刷機の印刷枚数記憶用メモリＭ１３に記憶した後、ステップＰ２３０でメモリＭ１４のカウント値ＭＭに１を上書きした後、ステップＰ２３１でメモリＭ１４からカウント値ＭＭを読込む。次いで、ステップＰ２３２でメモリＭ１１からカウント値Ｍを読込む。
【０３８２】
次に、ステップＰ２３３でカウント値MM＞カウント値Ｍか否かを判断し、可であれば後述するステップＰ２５０に移行する一方、否であればステップＰ２３４でメモリＭ１４からカウント値ＭＭを読込む。
【０３８３】
次に、ステップＰ２３５で本刷り中止位置記憶用メモリＭ４のMM番目のアドレス位置よりMM番目の本刷り中止位置を読込み、メモリＭ１５に記憶した後、ステップＰ２３６でメモリＭ１６からＡ側のリジェクト装置４０Ａまでの枚数を読込む。
【０３８４】
次に、ステップＰ２３７でMM番目の本刷り中止位置にＡ側のリジェクト装置４０Ａまでの枚数を加算してＡ側のMM番目のリジェクト開始位置を演算し、メモリＭ１７に記憶した後、ステップＰ２３８でメモリＭ１３から現在の巻取紙輪転印刷機の印刷枚数を読込む。
【０３８５】
次に、ステップＰ２３９でＡ側のMM番目のリジェクト開始位置＝現在の巻取紙輪転印刷機の印刷枚数か否かを判断し、可であればステップＰ２４０でＡ側のリジェクト装置４０Ａにリジェクト信号を出力して後述するステップＰ２４１に移行する一方、否であれば直に前記ステップＰ２４１に移行する。
【０３８６】
次に、前述したステップＰ２４１でメモリＭ１４からカウント値ＭＭを読込んだ後、ステップＰ２４２で本刷り中止位置記憶用メモリＭ４のＭＭ番目のアドレス位置よりMM番目の本刷り中止位置を読込み、メモリＭ１５に記憶する。
【０３８７】
次に、ステップＰ２４３でメモリＭ１８からＢ側のリジェクト装置４０Ｂまでの枚数を読込んだ後、ステップＰ２４４でMM番目の本刷り中止位置にＢ側のリジェクト装置４０Ｂまでの枚数を加算し、Ｂ側のMM番目のリジェクト開始位置を演算して、メモリＭ１９に記憶する。
【０３８８】
次に、ステップＰ２４５でメモリＭ１３から現在の巻取紙輪転印刷機の印刷枚数を読込んだ後、ステップＰ２４６でＢ側のMM番目のリジェクト開始位置＝現在の巻取紙輪転印刷機の印刷枚数か否かを判断する。
【０３８９】
次に、前記ステップＰ２４６で可であればステップＰ２４７でＢ側のリジェクト装置４０Ｂにリジェクト信号を出力して後述するステップＰ２４８に移行する一方、否であれば直に前記ステップ２４８に移行する。
【０３９０】
次に、前述したステップＰ２４８でメモリＭ１４からカウント値ＭＭを読込んだ後、ステップＰ２４９でメモリＭ１４のカウント値ＭＭに１を加算して上書きし、ステップＰ２３１に戻る。
【０３９１】
次に、前述したステップＰ２５０でメモリＭ２０のカウント値ＮＮに１を上書きした後、ステップＰ２５１でメモリＭ２０からカウント値ＮＮを読込む。次いで、ステップＰ２５２でメモリＭ１２からカウント値Ｎを読込む。
【０３９２】
次に、ステップＰ２５３でカウント値ＮＮ＞カウント値Ｎか否かを判断し、可であれば後述するステップＰ２７０に移行する一方、否であればステップＰ２５４でメモリＭ２０からカウント値ＮＮを読込む。
【０３９３】
次に、ステップＰ２５５で本刷り再開位置記憶用メモリＭ５のＮＮ番目のアドレス位置よりＮＮ番目の本刷り再開位置を読込み、メモリＭ２１に記憶した後、ステップＰ２５６でメモリＭ１６からＡ側のリジェクト装置４０Ａまでの枚数を読込む。
【０３９４】
次に、ステップＰ２５７でＮＮ番目の本刷り再開位置にＡ側のリジェクト装置４０Ａまでの枚数を加算してＡ側のＮＮ番目のリジェクト完了位置を演算し、メモリＭ２２に記憶した後、ステップＰ２５８でメモリＭ１３から現在の巻取紙輪転印刷機の印刷枚数を読込む。
【０３９５】
次に、ステップＰ２５９でＡ側のＮＮ番目のリジェクト完了位置＝現在の巻取紙輪転印刷機の印刷枚数か否かを判断し、可であればステップＰ２６０でＡ側のリジェクト装置４０Ａへのリジェクト信号の出力を停止して後述するステップＰ２６１に移行する一方、否であれば直に前記ステップＰ２６１に移行する。
【０３９６】
次に、前述したステップＰ２６１でメモリＭ２０からカウント値ＮＮを読込んだ後、ステップＰ２６２で本刷り再開位置記憶用メモリＭ５のＮＮ番目のアドレス位置よりＮＮ番目の本刷り再開位置を読込み、メモリＭ２１に記憶する。
【０３９７】
次に、ステップＰ２６３でメモリＭ１８からＢ側のリジェクト装置４０Ｂまでの枚数を読込んだ後、ステップＰ２６４でＮＮ番目の本刷り再開位置にＢ側のリジェクト装置４０Ｂまでの枚数を加算し、Ｂ側のＮＮ番目のリジェクト完了位置を演算して、メモリＭ２３に記憶する。
【０３９８】
次に、ステップＰ２６５でメモリＭ１３から現在の巻取紙輪転印刷機の印刷枚数を読込んだ後、ステップＰ２６６でＢ側のＮＮ番目のリジェクト完了位置＝現在の巻取紙輪転印刷機の印刷枚数か否かを判断する。
【０３９９】
次に、前記ステップＰ２６６で可であればステップＰ２６７でＢ側のリジェクト装置４０Ｂへのリジェクト信号の出力を停止して後述するステップＰ２６８に移行する一方、否であれば直に前記ステップ２６８に移行する。
【０４００】
次に、前述したステップＰ２６８でメモリＭ２０からカウント値ＮＮを読込んだ後、ステップＰ２６９でメモリＭ２０のカウント値ＮＮに１を加算して上書きし、ステップＰ２５１に戻る。
【０４０１】
以上の動作フローによって、本刷り中止位置及び本刷り再開位置に対応してＡ側及びＢ側のリジェクト装置４０Ａ，４０Ｂが作動され、ヤレ紙（損紙）を確実に排除できる。
【０４０２】
次に、前述したステップＰ２７０でメモリＭ１４のカウント値ＭＭに１を上書きした後、ステップＰ２７１でメモリＭ１４からカウント値ＭＭを読込む。次いで、ステップＰ２７２でメモリＭ１１からカウント値Ｍを読込む。
【０４０３】
次に、ステップＰ２７３でカウント値MM＞カウント値Ｍか否かを判断し、可であれば後述するステップＰ２９０に移行する一方、否であればステップＰ２７４でメモリＭ１４からカウント値ＭＭを読込む。
【０４０４】
次に、ステップＰ２７５で本刷り中止位置記憶用メモリＭ４のMM番目のアドレス位置よりMM番目の本刷り中止位置を読込み、メモリＭ１５に記憶した後、ステップＰ２７６でメモリＭ２４からＡ側の排紙コンベア部紙供給確認用センサ３９Ａまでの枚数を読込む。
【０４０５】
次に、ステップＰ２７７でMM番目の本刷り中止位置にＡ側の排紙コンベア部紙供給確認用センサ３９Ａまでの枚数を加算してＡ側のMM番目のカウント中止位置を演算し、メモリＭ２５に記憶した後、ステップＰ２７８でメモリＭ１３から現在の巻取紙輪転印刷機の印刷枚数を読込む。
【０４０６】
次に、ステップＰ２７９でＡ側のMM番目のカウント中止位置＝現在の巻取紙輪転印刷機の印刷枚数か否かを判断し、可であればステップＰ２８０でＡ側の現在の正紙枚数カウント用カウンタ３８Ａへのイネーブル信号の出力を停止して後述するステップＰ２８１に移行する一方、否であれば直に前記ステップＰ２８１に移行する。
【０４０７】
次に、前述したステップＰ２８１でメモリＭ１４からカウント値ＭＭを読込んだ後、ステップＰ２８２で本刷り中止位置記憶用メモリＭ４のＭＭ番目のアドレス位置よりMM番目の本刷り中止位置を読込み、メモリＭ１５に記憶する。
【０４０８】
次に、ステップＰ２８３でメモリＭ２６からＢ側の排紙コンベア部紙供給確認用センサ３９Ｂまでの枚数を読込んだ後、ステップＰ２８４でMM番目の本刷り中止位置にＢ側の排紙コンベア部紙供給確認用センサ３９Ｂまでの枚数を加算し、Ｂ側のMM番目のカウント中止位置を演算して、メモリＭ２７に記憶する。
【０４０９】
次に、ステップＰ２８５でメモリＭ１３から現在の巻取紙輪転印刷機の印刷枚数を読込んだ後、ステップＰ２８６でＢ側のMM番目のカウント中止位置＝現在の巻取紙輪転印刷機の印刷枚数か否かを判断する。
【０４１０】
次に、前記ステップＰ２８６で可であればステップＰ２８７でＢ側の現在の正紙枚数カウント用カウンタ３８Ｂへのイネーブル信号の出力を停止して後述するステップＰ２８８に移行する一方、否であれば直に前記ステップ２８８に移行する。
【０４１１】
次に、前述したステップＰ２８８でメモリＭ１４からカウント値ＭＭを読込んだ後、ステップＰ２８９でメモリＭ１４のカウント値ＭＭに１を加算して上書きし、ステップＰ２７１に戻る。
【０４１２】
次に、前述したステップＰ２９０でメモリＭ２０のカウント値ＮＮに１を上書きした後、ステップＰ２９１でメモリＭ２０からカウント値ＮＮを読込む。次いで、ステップＰ２９２でメモリＭ１２からカウント値Ｎを読込む。
【０４１３】
次に、ステップＰ２９３でカウント値ＮＮ＞カウント値Ｎか否かを判断し、可であれば後述するステップＰ３１０に移行する一方、否であればステップＰ２９４でメモリＭ２０からカウント値ＮＮを読込む。
【０４１４】
次に、ステップＰ２９５で本刷り再開位置記憶用メモリＭ５のＮＮ番目のアドレス位置よりＮＮ番目の本刷り再開位置を読込み、メモリＭ２１に記憶した後、ステップＰ２９６でメモリＭ２４からＡ側の排紙コンベア部紙供給確認用センサ３９Ａまでの枚数を読込む。
【０４１５】
次に、ステップＰ２９７でＮＮ番目の本刷り再開位置にＡ側の排紙コンベア部紙供給確認用センサ３９Ａまでの枚数を加算してＡ側のＮＮ番目のカウント再開位置を演算し、メモリＭ２８に記憶した後、ステップＰ２９８でメモリＭ１３から現在の巻取紙輪転印刷機の印刷枚数を読込む。
【０４１６】
次に、ステップＰ２９９でＡ側のＮＮ番目のカウント再開位置＝現在の巻取紙輪転印刷機の印刷枚数か否かを判断し、可であればステップＰ３００でＡ側の現在の正紙枚数カウント用カウンタ３８Ａにイネーブル信号を出力して後述するステップＰ３０１に移行する一方、否であれば直に前記ステップＰ３０１に移行する。
【０４１７】
次に、前述したステップＰ３０１でメモリＭ２０からカウント値ＮＮを読込んだ後、ステップＰ３０２で本刷り再開位置記憶用メモリＭ５のＮＮ番目のアドレス位置よりＮＮ番目の本刷り再開位置を読込み、メモリＭ２１に記憶する。
【０４１８】
次に、ステップＰ３０３でメモリＭ２６からＢ側の排紙コンベア部紙供給確認用センサ３９Ｂまでの枚数を読込んだ後、ステップＰ３０４でＮＮ番目の本刷り再開位置にＢ側の排紙コンベア部紙供給確認用センサ３９Ｂまでの枚数を加算し、Ｂ側のＮＮ番目のカウント再開位置を演算して、メモリＭ２９に記憶する。
【０４１９】
次に、ステップＰ３０５でメモリＭ１３から現在の巻取紙輪転印刷機の印刷枚数を読込んだ後、ステップＰ３０６でＢ側のＮＮ番目のカウント再開位置＝現在の巻取紙輪転印刷機の印刷枚数か否かを判断する。
【０４２０】
次に、前記ステップＰ３０６で可であればステップＰ３０７でＢ側の現在の正紙枚数カウント用カウンタ３８Ｂにイネーブル信号を出力して後述するステップＰ３０８に移行する一方、否であれば直に前記ステップ３０８に移行する。
【０４２１】
次に、前述したステップＰ３０８でメモリＭ２０からカウント値ＮＮを読込んだ後、ステップＰ３０９でメモリＭ２０のカウント値ＮＮに１を加算して上書きし、ステップＰ２９１に戻る。
【０４２２】
以上の動作フローによって、本刷り中止位置及び本刷り再開位置に対応してＡ側及びＢ側の現在の正紙枚数カウント用カウンタ３８Ａ，３８Ｂが作動され、正紙枚数を正確にカウントできる。
【０４２３】
次に、前述したステップＰ３１０でメモリＭ１から同一絵柄かどうかのデータを読込んだ後、ステップＰ３１１で同一絵柄かどうかのデータ＝１か否かを判断し、可であればステップＰ３１２でＡ側の現在の正紙枚数カウント用カウンタ３８Ａよりカウント値を読込み、メモリＭ３０に記憶する一方、否であれば後述するステップＰ３１９に移行する。
【０４２４】
次に、ステップＰ３１３でＢ側の現在の正紙枚数カウント用カウンタ３８Ｂよりカウント値を読込み、メモリＭ３１に記憶した後、ステップＰ３１４でＡ側の現在の正紙枚数カウント用カウンタ３８Ａのカウント値にＢ側の現在の正紙枚数カウント用カウンタ３８Ｂのカウント値を加算して現在の総正紙枚数を演算し、メモリＭ９に記憶する。
【０４２５】
次に、ステップＰ３１５でメモリＭ２から目標印刷枚数を読込んだ後、ステップＰ３１６で目標印刷枚数に２を乗算して目標総印刷枚数を演算し、メモリＭ１０に記憶する。
【０４２６】
次に、ステップＰ３１７で現在の総正紙枚数≧目標総印刷枚数か否かを判断し、可であればステップＰ３１８で印刷を終了する一方、否であればステップＰ３１に戻る。
【０４２７】
次に、前述したステップＰ３１９でＡ側の現在の正紙枚数カウント用カウンタ３８Ａよりカウント値を読込み、メモリＭ３０に記憶した後、ステップＰ３２０でＢ側の現在の正紙枚数カウント用カウンタ３８Ｂよりカウント値を読込み、メモリＭ３１に記憶する。
【０４２８】
次に、ステップＰ３２１でＡ側の現在の正紙枚数カウント用カウンタのカウント値≦Ｂ側の現在の正紙枚数カウント用カウンタのカウント値か否かを判断し、可であればステップＰ３２２でメモリＭ２から目標印刷枚数を読込む一方、否であれば後述するステップＰ３２４に移行する。
【０４２９】
次に、ステップＰ３２３でＡ側の現在の正紙枚数カウント用カウンタのカウント値＝目標印刷枚数か否かを判断し、可であればステップＰ３１８で印刷を終了する一方、否であればステップＰ３１に戻る。
【０４３０】
次に、前述したステップＰ３２４でメモリＭ２から目標印刷枚数を読込んだ後、ステップＰ３２５でＢ側の現在の正紙枚数カウント用カウンタのカウント値＝目標印刷枚数か否かを判断し、可であればステップＰ３１８で印刷を終了する一方、否であればステップＰ３１に戻る。尚、同一絵柄の場合の印刷完了の判断を（現在の総印刷枚数≧目標総印刷枚数）としたのは、この場合の総印刷枚数は常に偶数であり、それに対し、Ａ側及びＢ側の現在の正紙枚数カウント用カウンタのカウント値が一方は偶数で他方が奇数である場合があり、その場合には、（現在の総印刷枚数＝目標総印刷枚数＋１）になった時点で印刷完了となる為である。
【０４３１】
以上の動作フローによって、同一絵柄の場合は、Ａ側及びＢ側の排紙コンベアにそれぞれ排出された正紙枚数の合計が必要枚数以上に達すると巻取紙輪転印刷機１００の印刷を終了する一方、同一絵柄でない場合は、排出された正紙枚数の少ない方の排紙コンベアに排出された正紙枚数が必要枚数に達すると巻取紙輪転印刷機１００の印刷を終了する。
【０４３２】
このようにして本実施例では、スリッター１０９で巻取紙を左右方向に切断し、その後前後方向に切断された折丁をＡ側及びＢ側の排紙コンベア上に排出する巻取紙輪転印刷機１００において、Ａ側及びＢ側の排紙コンベア上に排出された正紙枚数をカウントし、同一絵柄の場合は、それらの合計値が必要枚数以上に達すると印刷を終了し、同一絵柄でない場合は、それらのうちの少ない方の正紙枚数が必要枚数に達すると印刷を終了するようにしたので、自動化によりオペレータの負担を軽減すると共に、可及的速やかに巻取紙輪転印刷機を停止することができ印刷資材の無駄を可及的に無くして稼働率を向上させることができる。
【０４３３】
尚、本発明は上記各実施例に限定されず、スリッター１０９で巻取紙を左右方向に切断しない（即ち、１ウェブ２列出しを行わない）場合、即ち、２台の巻取紙輪転印刷機で同時に同じ絵柄を印刷する場合等にも適用することができる。
【符号の説明】
【０４３４】
１０  巻取紙輪転印刷機の制御装置
３４  現在の印刷枚数カウント用カウンタ
３５  巻取紙輪転印刷機の印刷枚数カウント用センサ
３６  ウェブの自動紙継ぎ装置
３７  印刷品質検査装置
３８Ａ  Ａ側の現在の正紙枚数カウント用カウンタ
３８Ｂ  Ｂ側の現在の正紙枚数カウント用カウンタ
３９Ａ  Ａ側の排紙コンベア部紙供給確認用センサ
３９Ｂ  Ｂ側の排紙コンベア部紙供給確認用センサ
４０Ａ，６４Ａ  Ａ側のリジェクト装置
４０Ｂ，６４Ｂ  Ｂ側のリジェクト装置
５０  スタッカー・バンドラー制御装置
５０Ａ  Ａ側スタッカー・バンドラー制御装置
５０Ｂ  Ｂ側スタッカー・バンドラー制御装置
６２  現在の正紙枚数カウント用カウンタ
６２Ａ  Ａ側の現在の正紙枚数カウント用カウンタ
６２Ｂ  Ｂ側の現在の正紙枚数カウント用カウンタ
６３  小束部紙供給確認用センサ
６３Ａ  Ａ側の小束部紙供給確認用センサ
６３Ｂ  Ｂ側の小束部紙供給確認用センサ
６４  リジェクト装置
１００  巻取紙輪転印刷機
１０１  給紙装置
１０２  印刷ユニット
１０３  乾燥機
１０４  冷却装置
１０５  ウェブパス装置
１０６  ドラッグ装置
１０７  折機
１０８  ドラッグローラ
１０９  スリッター
１１４Ａ，１１４Ｂ  搬送経路
１１５Ａ  Ａ側のスタッカー・バンドラー装置
１１５Ｂ  Ｂ側のスタッカー・バンドラー装置
１１６  バンド
【図１】
2012245792.tif 000003
【図２Ａ】
2012245792.tif 000004
【図２Ｂ】
2012245792.tif 000005
【図３Ａ】
2012245792.tif 000006
【図３Ｂ】
2012245792.tif 000007
【図３Ｃ】
2012245792.tif 000008
【図３Ｄ】
2012245792.tif 000009
【図４Ａ】
2012245792.tif 000010
【図４Ｂ】
2012245792.tif 000011
【図５Ａ】
2012245792.tif 000012
【図５Ｂ】
2012245792.tif 000013
【図５Ｃ】
2012245792.tif 000014
【図５Ｄ】
2012245792.tif 000015
【図５Ｅ】
2012245792.tif 000016
【図５Ｆ】
2012245792.tif 000017
【図６Ａ】
2012245792.tif 000018
【図６Ｂ】
2012245792.tif 000019
【図７Ａ】
2012245792.tif 000020
【図７Ｂ】
2012245792.tif 000021
【図８Ａ】
2012245792.tif 000022
【図８Ｂ】
2012245792.tif 000023
【図９Ａ】
2012245792.tif 000024
【図９Ｂ】
2012245792.tif 000025
【図９Ｃ】
2012245792.tif 000026
【図９Ｄ】
2012245792.tif 000027
【図１０Ａ】
2012245792.tif 000028
【図１０Ｂ】
2012245792.tif 000029
【図１１Ａ】
2012245792.tif 000030
【図１１Ｂ】
2012245792.tif 000031
【図１２Ａ】
2012245792.tif 000032
【図１２Ｂ】
2012245792.tif 000033
【図１３Ａ】
2012245792.tif 000034
【図１３Ｂ】
2012245792.tif 000035
【図１４Ａ】
2012245792.tif 000036
【図１４Ｂ】
2012245792.tif 000037
【図１４Ｃ】
2012245792.tif 000038
【図１４Ｄ】
2012245792.tif 000039
【図１５Ａ】
2012245792.tif 000040
【図１５Ｂ】
2012245792.tif 000041
【図１６Ａ】
2012245792.tif 000042
【図１６Ｂ】
2012245792.tif 000043
【図１６Ｃ】
2012245792.tif 000044
【図１７Ａ】
2012245792.tif 000045
【図１７Ｂ】
2012245792.tif 000046
【図１７Ｃ】
2012245792.tif 000047
【図１７Ｄ】
2012245792.tif 000048
【図１７Ｅ】
2012245792.tif 000049
【図１７Ｆ】
2012245792.tif 000050
【図１８Ａ】
2012245792.tif 000051
【図１８Ｂ】
2012245792.tif 000052
【図１９Ａ】
2012245792.tif 000053
【図１９Ｂ】
2012245792.tif 000054
【図１９Ｃ】
2012245792.tif 000055
【図１９Ｄ】
2012245792.tif 000056
【図１９Ｅ】
2012245792.tif 000057
【図１９Ｆ】
2012245792.tif 000058
【図２０Ａ】
2012245792.tif 000059
【図２０Ｂ】
2012245792.tif 000060
【図２１Ａ】
2012245792.tif 000061
【図２１Ｂ】
2012245792.tif 000062
【図２１Ｃ】
2012245792.tif 000063
【図２１Ｄ】
2012245792.tif 000064
【図２１Ｅ】
2012245792.tif 000065
【図２１Ｆ】
2012245792.tif 000066
【図２２Ａ】
2012245792.tif 000067
【図２２Ｂ】
2012245792.tif 000068
【図２３】
2012245792.tif 000069
【図２４】
2012245792.tif 000070
【図２５】
2012245792.tif 000071
【図２６】
2012245792.tif 000072
【図２７】
2012245792.tif 000073
【図２８Ａ】
2012245792.tif 000074
【図２８Ｂ】
2012245792.tif 000075